(57)【要約】【課題】  ハイブリッドＧＳＭ／ＣＤＭＡネットワークでのアイドルモード取扱い【解決手段】  第１のエアインタフェースを介して作動する第１のタイプの基地局（３０）と、第２のエアインタフェースを介して作動する第２のタイプの基地局（３２）とを含む移動無線通信システムにおいて、第１のタイプのものである第１の基地局（３０）および第２のタイプのものである第２の基地局（３２）に関連したセル上に設営された移動局（４０）によって再選択する方法。この方法は、第２のエアインタフェースを介して第２の基地局（３２）から信号を受信し、この信号の特性を評価することを含む。この特性に応じて、第２の基地局（３２）は前記第１の基地局（３０）の代わりに選択され、移動局（４０）は前記第２の基地局（３２）に関連したセル上に設営する。【選択図】図５
2010136405.tif 000002
【特許請求の範囲】
【請求項１】
第１のエアインタフェースを介して作動する第１のタイプの複数の基地局および第２のエアインタフェースを介して作動する複数の第２のタイプの基地局を含む移動無線通信システムにおいて、該第２のタイプである第２の基地局と、該第１のタイプである第１の基地局に関連したセルに設営された移動局によって再選択するための方法、該方法は下記を備える：
前記第２の基地局から前記第２のエアインタフェースを介して信号を受信し、
前記信号の特性を評価し、
前記特性に応じて、前記第１の基地局の代わりに前記第２の基地局を選択し、
前記第２の基地局に関連したセルに設営する。
【請求項２】
前記第１および第２のエアインタフェースの一方がＴＤＭＡエアインタフェースを備え、及び他方がＣＤＭＡエアインタフェースを備えている、請求項１の方法。
【請求項３】
前記特性を評価することはＣＤＭＡパス損失基準を前記信号に適用することを備えている、請求項２の方法
【請求項４】
前記第２の基地局を選択することは、前記移動局のＧＳＭ無線インタフェースプロトコルレイヤに実質的に透過するように前記ＣＤＭＡエアインタフェースを介してセル選択および再選択手順を適用することを備えている、請求項２の方法。
【請求項５】
前記移動局は前記ＣＤＭＡエアインタフェースを介して作動する前記基地局に関連した前記セルに設営されている間、それは、ＧＳＭ標準に通常従ってアイドルモード手順を実行する、請求項２の方法。
【請求項６】
前記第１の基地局の代わりに前記第２の基地局を選択することは、ＧＳＭ／ＴＤＭＡおよびＣＤＭＡ動作モードの両方をサポートする前記移動局で単一の無線リソース管理プロトコルレイヤを使用することを備えている、請求項１の方法。
【請求項７】
前記無線リソース管理プロトコルレイヤは、並列ＧＳＭおよびＣＤＭＡプロトコルサブレイヤと、ＧＳＭあるいはＣＤＭＡ作動モードのいずれかを選択する結合器サブレイヤとを備えている、請求項６の方法。
【請求項８】
前記結合器サブレイヤは、ＧＳＭ標準に従ってサービスアクセスポイントでメッセージを移動管理プロトコルレイヤから受信し、及び前記メッセージを、選択されたＧＳＭあるいはＣＤＭＡサブレイヤに向けるプリミティブにマッピングする、請求項７の方法。
【請求項９】
前記信号を前記第２のエアインタフェースを介して受信することは、
前記第１のエアインタフェースを介して前記信号を受信するためにも使用される前記移動局の単一無線トランシーバを使用して信号を受信することを備えている、請求項１の方法。
【請求項１０】
前記信号を受信することは、ＧＳＭあるいはＣＤＭＡのシグナリングモードのいずれかで信号を受信することを備えている、請求項９の方法。
【請求項１１】
前記移動局が前記第１の基地局に関連したセルに設営されている間、それは、前記移動局の断続するアクティブ期間中にそれからの信号を受信し、及び前記第２のエアインタフェースを介して前記信号を受信することは、前記アクティブ期間の中間の前記移動局のスリープ期間中に信号を探し、受信することを備えている、請求項１の方法。
【請求項１２】
前記信号を受信することは、前記第１のエアインタフェース上の信号によって検出されたカバレッジの損失に応じて前記第２のエアインタフェースを介して信号を受信するように前記移動局を制御することを備えている、請求項１の方法。
【請求項１３】
前記信号を受信することは、所定の監視基準が満たされたことの指示に応じて前記第２のエアインタフェースを介して信号の監視を始めることを備えている、請求項１の方法。
【請求項１４】
前記指示は、セルが前記第２のエアインタフェースを介して利用可能である前記第1のエアインタフェースを介して前記移動局にブロードキャストされたメッセージを備えている、請求項１３の方法。
【請求項１５】
前記監視を始めることは、前記第１のエアインタフェースを介して受信された信号のレベルに応じて前記第２のエアインタフェースを介して監視を始めることを備えている、請求項１３の方法。
【請求項１６】
前記移動局はが、前記第１のエアインタフェースを介して信号を複数の候補セルから受信しようと試みる、及びここにおいて、該監視を始めることは、前記第１のエアインタフェースを介して受信された信号が所定の時間、所定のレベル以下である場合、前記第２のエアインタフェースを介して監視を始めることを備えている、請求項１５の方法。
【請求項１７】
前記移動局は、前記第１のエアインタフェースを介して信号を複数の候補セルから受信しようと試みる、及びここにおいて、該監視を始めることは、前記第１のエアインタフェースを介する候補セルの数が所定の時間、所定の最少数よりも小さい場合、前記第２のエアインタフェースを介して監視を始めることを備えている、請求項１３の方法。
【請求項１８】
前記監視を始めることは、前記第２のエアインタフェースを介する監視が生じなかった所定の時間の満了の際に監視を始めることを備えている、請求項１３の方法。
【請求項１９】
前記信号を受信することは、前記移動局による所望のレベルのエネルギー消費に応じて前記信号を受信する際に前記移動局によって費やされたエネルギーを調整することを備えている、請求項１の方法。
【請求項２０】
費やされた前記エネルギーを調整することは、前記所望のレベルのエネルギー消費に応じて前記信号を受信するためのサンプリングレートを設定することを備えている、請求項１９の方法。
【請求項２１】
費やされた前記エネルギーを調整することは、前記所望のレベルのエネルギー消費に応じて、そこから前記信号を受信するために、前記第２のタイプの多数の前記基地局を選択することを備えている、請求項１９の方法。
【請求項２２】
費やされた前記エネルギーを調整することは、前記移動局によって提供された所望のレベルのサービスの質に応じて前記信号を受信するように前記移動局のアベイラビリティを調整することをさらに備えている、請求項１９の方法。
【請求項２３】
前記特性を評価することは、前記第２の基地局から受信された前記信号を前記第１の基地局から前記第１のエアインタフェースを介して受信された信号と比較すること、及び前記第２の基地局を選択するかどうかを決定するように再選択基準を前記受信された信号に適用することを備えている、請求項１の方法。
【請求項２４】
前記基準を適用することは、所定のエアインタフェースの優先に応じて測定された信号の特性に重みを付けることを備えている、請求項２３の方法。
【請求項２５】
前記優先は、移動局のユーザによって設定される、請求項２４の方法。
【請求項２６】
前記優先は、前記基地局が関連するネットワークによって設定される、請求項２４の方法。
【請求項２７】
前記移動局は前記優先の記録を記憶している、請求項２４の方法。
【請求項２８】
前記基準を適用することは、前記エアインタフェースの繰り返される再選択を防止するように所定のヒステリシスファクタを適用することを備えている、請求項２３の方法。
【請求項２９】
前記信号を比較することは、前記移動局が前記第１のエアインタフェースを介して供給されたカバレッジの境界領域にある場合、強い隣接セルの評価を実行することを備えている、請求項２３の方法。
【請求項３０】
前記特性を評価することは、前記第１および第２のエアインタフェースを介して受信された信号のパワーレベルを比較することを備えている、請求項１記載の方法。
【請求項３１】
前記特性を評価することは、前記第１および第２のエアインタフェースを介して受信された信号から得られたパス損失基準を比較することを備えている、請求項１の方法。
【請求項３２】
前記第２の基地局を選択することは、通信すべき公衆陸上移動ネットワークの前記移動局による選択に応じて基地局を選択することを備えている、請求項１の方法。
【請求項３３】
前記第２の基地局を選択することは、インタフェース再選択のための基準に関して前記第１のエアインタフェースを介してブロードキャストされた情報を受信すること、及び前記ブロードキャスト情報に応じて前記第２の基地局を選択することを備えている、請求項１の方法。
【請求項３４】
前記第２の基地局を選択することは、インタフェース再選択のための基準に関して前記移動局のメモリモジュールに情報を記憶すること、及び前記記憶された情報に応じて前記第２の基地局を選択することを備えている、請求項１の方法。
【請求項３５】
第１のエアインタフェースに関連した第１のセルと、第２のエアインタフェースに関連した第２のセルとを含む移動無線通信システムにおいて、
前記第１および第２のエアインタフェースをそれぞれ介して前記第１および第２のセルから複数の信号を受信する少なくとも１つの無線トランシーバと、
移動局が前記第１のセル上にアイドルモードで設営される間、前記第２のセルから受信された信号を処理し、及び前記第２の信号を評価し、及びそれに応じて、移動局に、前記第２のセルを再選択し、及び前記第２のセル上に設営するように命令する制御回路と、
を備えている移動局。
【請求項３６】
前記少なくとも１つのトランシーバは、前記第１のエアインタフェースあるいは第２のエアインタフェースのいずれかを介して作動できる単一の無線トランシーバを備えている、請求項３５の移動局。
【請求項３７】
前記移動局が前記第１のセル上に設営されている間、前記トランシーバは、それから信号を受信するように断続的に作動される、及びここにおいて前記制御回路は、前記トランシーバが前記第１のセルから信号を受信するように作動される期間の中間における前記トランシーバのスリープ期間中に前記第２のエアインタフェースを介して信号を探し、受信するように前記トランシーバを作動させる、請求項３６の移動局。
【請求項３８】
前記第１および第２のエアインタフェースの一方はＴＤＭＡエアインタフェースを備え、及び他方はＣＤＭＡエアインタフェースを備えている、請求項３５の移動局。
【請求項３９】
前記制御回路は、前記移動局のＧＳＭ無線インタフェースプロトコルレイヤに実質的に透過であるように前記ＣＤＭＡエアインタフェースを介してセル選択および再選択手順を適用する請求項３８の移動局。
【請求項４０】
前記移動局が前記ＣＤＭＡエアインタフェースに関連する前記セル上に設営している間、前記制御回路は、一般にＧＳＭ標準に従ってアイドルモード手順を実行する、請求項３８の移動局。
【請求項４１】
前記制御回路は、デュアルＧＳＭおよびＣＤＭＡ動作モードを有する無線リソース管理プロトコルレイヤを使用して作動する、請求項３５の移動局。
【請求項４２】
前記無線リソース管理プロトコルレイヤは、並列ＧＳＭおよびＣＤＭＡプロトコルサブレイヤと、ＧＳＭあるいはＣＤＭＡ動作モードのいずれかを選択する結合器サブレイヤとを備えている、請求項４１の移動局。
【請求項４３】
前記結合器サブレイヤは、ＧＳＭ標準に従ってサービスアクセスポイントでメッセージを移動管理プロトコルレイヤから受信し、及び前記メッセージを、選択されたＧＳＭあるいはＣＤＭＡサブレイヤに向けるプリミティブにマッピングする、請求項４２の移動局。
【請求項４４】
前記制御回路は、前記第１のエアインタフェースを介する信号により検出されたカバレッジの損失に応じて前記第２のエアインタフェースを介して信号を受信するように前記トランシーバを制御する、請求項３５の移動局。
【請求項４５】
前記制御回路は、所定の監視基準が満たされたことの指示に応じて前記第２のエアインタフェースを介して信号の監視を始める、請求項３５の移動局。
【請求項４６】
前記指示は、複数のセルが前記第２のエアインタフェースを介して使用可能である前記第１のエアインタフェースを介して前記移動局にブロードキャストされたメッセージを備えている、請求項４５の移動局。
【請求項４７】
前記制御回路は、前記第１のエアインタフェースを介して受信された信号のレベルに応じて前記第２のエアインタフェースを介して監視を始める、請求項４５の移動局。
【請求項４８】
前記トランシーバは前記第１のエアインタフェースを介して複数の候補セルから信号を受信するように同調される、及びここにおいて前記制御回路は、前記第１のエアインタフェースを介して受信された前記信号の全てが所定の時間、所定のレベル以下である場合、前記第２のエアインタフェースを介して監視を始める、請求項４７の移動局。
【請求項４９】
前記トランシーバは前記第１のエアインタフェースを介して複数の候補セルから信号を受信するように同調される、及びここにおいて前記制御回路は、前記第１のインタフェースを介する候補セルの数が所定の最少数よりも小さい場合、前記第２のエアインタフェースを介する監視を始める、請求項４５の移動局。
【請求項５０】
前記制御回路は、前記第２のエアインタフェースを介する監視が生じなかった所定の時間の満了の際に第２のエアインタフェースを介する監視を始める、請求項４５の移動局。
【請求項５１】
前記制御回路は、前記移動局による所望のレベルのエネルギー消費に応じて前記信号を受信する際に前記移動局によって費やされたエネルギーを調整するようにプログラム化される、請求項３５の移動局。
【請求項５２】
前記制御回路は、前記所望のレベルのエネルギー消費に応じて前記信号を受信するためのサンプリングレートを設定する、請求項５１記載の移動局。
【請求項５３】
前記制御回路は、前記所望のレベルのエネルギー消費に応じて前記第２のエアインタフェースを介して前記信号を受信するための多数のセルを選択する、請求項５１の移動局。
【請求項５４】
前記制御回路は、前記移動局によって提供された所望のレベルのサービスの質に応じて前記信号を受信するように前記トランシーバのアベイラビリティをさらに調整する、請求項５１の移動局。
【請求項５５】
前記制御回路は、記第１および第２のエアインタフェースを介して前記トランシーバによって受信された前記信号を比較し、及び前記第２のセルを選択するかどうかを決定するように再選択基準を前記比較に適用する、請求項３５の移動局。
【請求項５６】
前記制御回路は、前記信号のレベルを測定し、及び所定のエアインタフェース優先に応じて前記測定されたレベルに重みを付ける、請求項５５の移動局。
【請求項５７】
前記優先は、移動局のユーザによって設定される、請求項５６記載の移動局。
【請求項５８】
前記優先は、前記基地局が関連したネットワークによって設定される、請求項５６の移動局。
【請求項５９】
前記移動局は前記優先の記録を記憶する、請求項５６の移動局。
【請求項６０】
前記制御回路は、前記エアインタフェースの繰り返される再選択を防止するように所定のヒステリシスファクタを前記比較に適用する、請求項５５の移動局。
【請求項６１】
前記制御回路は、前記移動局が前記第１のエアインタフェースを介して提供されたカバレッジのより広い領域にある場合、強い隣接セルの評価を実行する、請求項５５の移動局。
【請求項６２】
前記制御回路は、前記第１および第２のエアインタフェースを介して受信された前記信号の電力レベルを比較する、請求項３５の移動局。
【請求項６３】
前記制御回路は、前記第１および第２のエアインタフェースを介して受信された前記信号から得られたパス損失基準を比較する、請求項３５の移動局。
【請求項６４】
前記制御回路は、通信すべき公衆陸上移動ネットワークの前記移動局による選択に応じて前記第２の基地局を選択する、請求項３５の移動局。
【請求項６５】
前記少なくとも１つの無線トランシーバは、インタフェース再選択のための基準に関して前記第１のエアインタフェースを介してブロードキャストされた情報を受信する、及びここにおいて前記制御回路は、前記ブロードキャスト情報に応じて、前記移動局が前記第２のセルを再選択し、及び前記第２のセルに設営すべきであるかどうかを決定する、請求項３５の移動局。
【請求項６６】
インタフェース再選択のための基準に関して情報を記憶する加入者情報モジュールを備える、及びここにおいて前記制御回路は、前記移動局が前記記憶情報に応じて前記第２のセルを再選択し、前記第２のセル上に設営すべきであるかどうかを決定する、請求項１の移動局。
【請求項６７】
下記を具備する、移動無線通信システムにおいて、前記第１のセル上に設営された移動局によるセル再選択のための方法：
放送によって第２のセルから信号を受信する、
前記第２のセルが前記第１のセルとは異なる位置領域に属するかどうかを決定する、
前記第２のセルの決定された位置領域に応じて、前記信号の特性を評価する、
前記評価に応じて、前記第１のセルの代わりに設営する前記第２のセルを選択する。
【請求項６８】
前記信号の特性を評価することは、閾値基準を前記信号に適用することを備え、このような再選択のための閾値は、前記第２のセルが前記第１のセルとは異なる位置領域に属する場合に、それが同じ位置領域に属する場合よりも高い、請求項６７の方法。
【請求項６９】
前記第２のセルが異なる位置領域に属するかどうかを決定することは、前記第２のセルの前記位置領域を示す前記第１のセルからのブロードキャストを受信することを備えている、請求項６７の方法。
【請求項７０】
前記第２のセルが異なる位置領域に属するかどうかを決定することは、前記移動局のメモリで前記第２のセルの前記位置領域の記憶された記録を調べることを備えている、請求項６７の方法。
【請求項７１】
移動無線通信システムにおいて、下記を備えている移動局：
前記移動局が第１のセルに設営される間、第２のセルから信号を受信する無線トランシーバと、
前記第２のセルが前記第１のセルとは異なる位置領域に属するかどうかを決定し、及び前記第１のセルの代わりに設営するために前記第２のセルを選択するかどうかを決定するように、前記第２のセルの決定された位置領域に応じて前記第２のセルから受信された信号を処理する制御回路。
【請求項７２】
前記処理回路は閾値基準を前記信号に適用し、このような再選択のための閾値は、前記第２のセルが前記第１のセルとは異なる位置領域に属する場合に、それが同じ位置領域に属する場合よりも高い、請求項７１の移動局。
【請求項７３】
前記無線トランシーバは、前記第２のセルの前記位置領域を示す前記第１のセルからのブロードキャストを受信する、請求項７１の移動局。
【請求項７４】
前記移動局は、前記第２のセルの前記位置領域の記録が記憶されるメモリを備えている、請求項１の移動局。
【発明の詳細な説明】
【技術分野】
【０００１】
本発明は一般的に無線通信、特に進歩したセルラー電話ネットワークに関する。
【背景技術】
【０００２】
世界中の多くの国で移動用世界的システム（ＧＳＭ）通信が用いられている。ＧＳＭは有用な範囲のネットワークサービス及び標準を提供する。現存するＧＳＭネットワークは時分割多元接続（ＴＤＭＡ）デジタル通信技術に基づいているが、しかし、符号分割多元接続（ＣＤＭＡ）技術に向かって革命が起こりつつある。本発明は現存のものと未来のＧＳＭネットワークとの双方ともに適用可能であり、そして、本特許出願に用いられた技術は現存のＧＳＭ標準に関するものではあるが、本発明は決して現存の標準またはネットワークに限定されるものではないことが理解されるであろう。
【０００３】
セルラーシステムでのハンドオーバーは、ＭＳが専用モードで作動している間、即ち、電話のコール中であるか、又は呼出しの間のアイドルモード(idle mode)にある間の何れで起こってよい。アイドルモードハンドオーバーの目的は、ＭＳをネットワークの最も適切な基地局のセルに「設営(camping)」させ（即ち、それからページング及びブロードキャスト信号を受信するためにセルの制御チャンネルに同調させ）、そしてそのセルを介してネットワークに登録させることである。次いでＭＳは要求があれば直ちに、サービスをはじめるか又はサービス要求を受けるかする。
【０００４】
参照してここに組み込まれる標準のＧＳＭファミリー、及び特にＧＳＭ標準０３．２２、は、３つの主要な、相互関連した工程によってアイドルモードの操作を規定する。
【０００５】
・公衆陸地上移動ネットワーク（ＰＬＭＮ）の選択；
・セルの選択及び再選択；及び
・位置更新
ＭＳと基地局との間のシグナリングのＧＳＭ標準によって定義されたプロトコルスタックでは、これらのアイドルモードの機能は無線インタフェースプロトコルレイヤ３（ＲＩＬ−３）によって行われる。このレイヤの中で、セルの選択／再選択工程が無線リソース管理(radio resource management)（ＲＲ）サブレイヤ(sublayers)によって行われる；そしてＰＬＭＮ選択及び位置更新の工程が移動管理（ＭＭ）サブレイヤによって行われる。
【０００６】
（スイッチオン、又はコールの終止時）ＭＳがアイドルモードに入る度に、それはＰＬＭＮを選択して、そのＰＬＭＮのセルに設営しようとする。接触されるべき特定のＰＬＭＮは、既定の優先順位に従って、手動又は自動の何れかで選択されればよい。セル選択の手順は、ＭＳが適切なセルに設営され、その中でそれはデータを信頼できるように受信して復号し、またその中でそれが、コールを始めるときアクセスを許可される見込みがあることを証明する。セルの選択は全ての可能性のある基地局のチャンネルの一般的なサーチに基づくか、又はそれはセルの記憶されたリスト、及び／又はＭＳが専用モードにあった間になされたセル信号強度測定を参照することによって助けられるかであってよい。セルの選択の別の方法はＧＳＭパーランス(parlance)に下記のように述べられている。
【０００７】
通常のセルの選択、そこではＭＳは動作のすべてのサポートされているバンドのチャンネルをサーチする；
記憶されたリストのセルの選択、そこでは最初のセル選択を促進するために、サーチはセルの記憶されたリストに基づく；
セルを選ぶ選択、そこではＭＳはコール終止後のセル選択を促進するために専用モードでなされた測定を用いる。
【０００８】
一旦ＭＳが適切なセルを選択して設営すれば、それはその位置をネットワークに登録するために位置更新メッセージを基地局へ送る。
【０００９】
ＭＳは、それが設営されている現在のセルから受信した信号並びに隣接するセルからの信号を継続的に監視する。もし、例えば、隣接するセルの１つからの信号が現在のセルの信号よりも強いために、又はネットワークの条件及び優先性のために、セルの変更が示されたならば、セルの再選択が呼出され、次いで必要に応じ位置の更新を行う。もしＭＳが現在のセルとの接触を無くすならば、セル選択、及び必要に応じ、ＰＬＭＮ選択も同様に呼出される。
【００１０】
もし適切なセルが見つからないか、又はＭＳがサービスを受けることを許されないならば（もし、例えば、ＧＳＭ加入者アイデンティティモジュール「ＳＬＭ」が正しく挿入されていないか、又はネットワークが位置の更新要求を退けるならば）、ＭＳは限定されたサービスモードに入る。限定されたサービスでは、ＭＳは、そのＰＬＭＮのアイデンティティには関わらず、緊急コールをすることを許すセルに設営しようとする。
【００１１】
上記の説明はＧＳＭ標準及びＴＤＭＡ操作について特定的に述べたが、ハンドオーバー及びアイドルモード機能も同様に他のセルラーシステム及び標準の一部である。符号分割多元接続（ＣＤＭＡ）は、ＴＤＭＡよりも無線帯域幅のより効率的な使用ができるようにした、またセルラー電話加入者と基地局との間のより信頼性のある、フェードフリーリンクを与える、改良されたデジタル通信技術である。現在展開されているＣＤＭＡ標準は、通信産業協会（ＴＩＡ）によって発布された、ＴＩＡ／ＥＩＡ−９５（共通にＩＳ−９５と言う）である。
【００１２】
本特許出願に関連のあるＧＳＭ及びＣＤＭＡの標準を参考のため本明細書の末尾の付録Ａに掲げる。
【００１３】
何れもまだ商業的に展開されてはいないが、ハイブリッドＧＳＭ／ＣＤＭＡセルラー通信システムを特許文書に記述する。例えば、参照してここに組み込まれたＰＣＴ特許出願であるＰＣＴ／ＵＳ９６／２０７６４はＣＤＭＡエアインタフェース(air interface)（即ち、基本的ＲＦ通信プロトコル）を用いてＣＳＭネットワークサービス及びプロトコルを実現している無線通信システムを記述している。このシステムを用いて、ＴＤＭＡ基地局（ＢＳＳ）及び現存のＧＳＭネットワークの加入者ユニットの少なくとも幾つかは相当するＣＤＭＡ装置によって取り替え又は補足されよう。このシステムのＣＤＭＡ  ＢＳＳｓは標準ＧＳＭ  Ａ−インタフェースを介してＧＳＭ移動スイッチングセンター（ＭＳＣｓ）と通信するようにされる。ＧＳＭネットワークサービスのコアはこうして維持され、そしてＴＤＭＡからＣＤＭＡへの切替はユーザにとって透明となる。
【００１４】
ＧＳＭ及びＣＤＭＡエレメントの双方ともを取り入れたハイブリッドセルラー通信ネットワークもまた、ＰＣＴ特許公開ＷＯ９５／２４７７１号及びＷＯ９６／２１９９９号に記述されており、また参考のため本書に取り入れてある、「ＣＤＭＡ移動局とＧＳＭ移動切替センターとの間の加入者シグナリングゲートウェイ」と題する、Ｔｓｃｈａらによる記事、ユニバーサル個人通信の第２回国際会議の議事録、Ｏｔｔａｗａ（１９９３）、ｐｐ．１８１−１８５、にも記載されている。これらの刊行物のいずれでも、そのようなハイブリッドネットワークにおいて効率的なハンドオーバー及びアイドルモード操作をどのようにして実現するかについての特定の問題点について取り扱われていない。
【００１５】
これもまた参照してここに組み込まれる、ＰＣＴ特許出願ＰＣＴ／ＵＳ９７／００９２６、は、ハイブリッドＧＳＭ／ＣＤＭＡ通信システムのＣＤＭＡとＴＤＭＡ  ＢＳＳｓとの間の専用インターシステムハンドオーバーの方法について記述している。ＧＳＭ／ＴＤＭＡ  ＢＳＳはＣＤＭＡ技術に従ってパイロットビーコン信号を発生する。電話のコール中は、加入者ユニットはパイロット信号を検出して、信号が検出されたことを基地局コントローラに通知する。そこで、加入者ユニットはコールを妨げることなくＣＤＭＡからＴＤＭＡ  ＢＳＳへ手渡される。
【発明の概要】
【００１６】
本発明の目的はハイブリッドＧＳＭ／ＣＤＭＡセルラー通信ネットワーク用いるための方法及び装置を提供することである。
【００１７】
本発明の幾つかの様相の更なる目的は、ハイブリッドセルラーネットワークにおいて移動局の改良されたアイドルモードの操作ができるようにする方法を提供することである。
【００１８】
本発明の幾つかの様相の更なる目的は、移動局がアイドルモードであるとき、ＴＤＭＡとＣＤＭＡ基地局との間で移動局のハンドオーバーができるようにする改良された方法及び装置を与えることである。
【００１９】
本発明の好ましい実施形態では、混合したＧＳＭ／ＣＤＭＡセルラー通信システムは、公衆陸上移動ネットワーク（ＰＬＭＮ）と関連したＴＤＭＡとＣＤＭＡ双方の基地局サブシステム（ＢＳＳｓ）を含む。システムは好ましくは回路スイッチされたサービスとパッケットスイッチされたサービスの両方を提供するように適応させてある。この型のシステムは一般に上記のＰＣＴ特許出願に、また本特許出願の譲受人に譲渡され、その開示を参照してここに組み込まれた、米国特許出願番号０９／３６５，９６７に、記述されている。システム中の移動局（ＭＳ）は、好ましくは両型のインタフェース上にＧＳＭネットワークプロトコルを用いてＴＤＭＡとＣＤＭＡエアインタフェースとを適切に切り替えることによって、両方の形式の基地局と通信することができる。アイドルモードで作動させながら、ＭＳは、ＴＤＭＡとＣＤＭＡセルの双方から信号を受けて評価する(evaluate)ことによって、設営すべき基地局のセルを自動的に選択する。
【００２０】
ＭＳは１つの形式（ＴＤＭＡ又はＣＤＭＡ）のセルの上に設営されるが、それは同一の形式のセルと他の形式のセルとの双方を監視する。ＭＳは、受信された信号とネットワークの状態とかユーザの優先とかの他の所定の規準とに基づいて、適切に、何れかの形式のセルを再選択することができる。監視と再選択の基準及び手順はアイドルモードでのＭＳによる電力消費を最小にするようにこのましくは選択される。更に好ましくは、アイドルモード作動とＭＳによるセル選択／再選択とはハイブリッドＧＳＭ／ＣＤＭＡ無線リソース管理（ＲＲ）サブレイヤを含むプロトコルスタックによって制御される。ハイブリッドＲＲサブレイヤはＴＤＭＡとＣＤＭＡの下位（物理的）レイヤを知っていて、それの間を選択する。
【００２１】
好ましくは、コスト、重量及び電力消費を下げるためには、ＭＳは、ＧＳＭ／ＴＤＭＡ及びＣＤＭＡ使用のそれぞれの選択的モードを持った単一のトランシーバを持つ。しかし、本発明の原理は、例えば分離した、又は僅かに部分的に統合されたＴＤＭＡ及びＣＤＭＡトランシーバを持った移動局を用いて、又はＧＳＭコンプライアントではない他のハイブリッドネットワークで、他の形式の移動局及びネットワークを用いても同様に適用することができることが認識されよう。
【００２２】
本発明の好ましい実施形態では、ＭＳのアイドルモードの動作は下記の要件を均衡させることに基づいている。
【００２３】
１．利用できる最良のセルに設営すること；
２．ページングメッセージを失うことを避けること；
３．バッテリーの寿命を節約するためにアイドルモードのアクティビティを最小にすること。
【００２４】
好ましくは、アイドルモードのＭＳは、その上でＭＳが設営されるセル（ここではサービングセルという）と隣接するセルの双方から信号測定を継続的に査定し、また設営に利用できる最も適切なセルを選択するためにネットワークからのセルのブロードキャスト情報も受信する。最適のセルを選択することは、サービスコールを始める上の、又はページング要求に応じる上の成功率に直接の影響を持つ。隣接するセルがサービングセルにとって好ましいことが判った場合、時宜を得たセルの再選択が、カバレッジ(coverage)の突然の損失を避けるのに有用である。
【００２５】
同様に、ページングメッセージを失うことを避けるためには、最良の利用できるセルに設営し、また予め評価していないセルに「盲目の」設営をするのを避けることが重要である。しかし、この必要性は、位置領域の頻繁な変更又はエアインタフェースの再選択によって起こることがあるページングメッセージの損失によって均衡される。
【００２６】
バッテリーの寿命はアイドルの背景活動の量に依存する。各セル変更及び特に位置領域の各変更又はエアインタフェースの再選択は増大した活動を意味する、何故ならばＭＳは新規なセルのパラメータを読まなければならず、またもし位置領域が変わったならば位置更新のためにシグナリング接続を設定しなければならないからである。（ＣＳＭの９００及び１８００  ＭＨｚバンドのような）多重無線バンドを監視すること及び二重エアインタフェースも、バッテリーの寿命に衝撃を与える増大した活動を意味する。それゆえ、バッテリーの寿命を節約するためには、ＭＳは二重インタフェース活動を最小にし、また必要なときだけにエアインタフェース再選択を行うようにすることが好ましい。
【００２７】
本発明の好ましい実施形態では、二つの択一の環境のセット下でエアインタフェースを再選択する。
【００２８】
１．もしアクティブエアインタフェース（即ち、その上でＭＳが設営されるセルのエアインタフェース；二つのエアインタフェースの内、他の１つはこの意味で受動エアインタフェースという）のカバレッジの突然の終わりがあったならば生じる、強制再選択。そのような環境では、ＭＳは新規なエアインタフェースのセルに関して事前の情報を持たず、変化を、例えば電源投入の際のように、最初のセル選択をしているかのように取り扱わなければならない。
【００２９】
２．例えば、アクティブエアインタフェース上のセルの品質又は信号の強度と関係を持つ、予め定義された閾値条件の満了によって起こる、配列された再選択。この場合は、ＭＳは、モードの再選択に先立ってアクティブと受動両方のインタフェースを監視し、そしてモードの変更を好ましくはセルの再選択と概ね同様の方法で取り扱う。
【００３０】
選択的には、そのようなネットワークが呼出した定期的なサーチに加えて、ＭＳ自体が受動の定期的監視を呼出すようにモードサーチタイマーを作動させる。タイマーはＭＳが好ましさの少ないエアインタフェース上のエンドレス設営を避けることができるようにする。
【００３１】
典型的には、エアインタフェースの１つ、最も好ましくはＣＤＭＡエアインタフェース、がネットワークによって、又はＭＳのユーザによって、好ましいエアインタフェースとして、設定され、その上でＭＳはＧＳＭ／ＴＤＭＡ又はＧＳＭ／ＣＤＭＡセルの設営の間に選択がある場合、通信をするように選択する。好ましいエアインタフェースは、ＭＳに挿入された加入者識別モジュール（ＳＩＭ）にか、又はＭＳ自体の不揮発性メモリにかのいずれかで、ＭＳに記録される。ＳＩＭは、好ましくはＧＳＭ基準と適合するものとするが、ＣＤＭＡ及びハイブリッド操作に関係した、ユーザの優先のような、情報を記憶するための拡張したメモリセグメント（ファイル）を含む。
【００３２】
好ましくは、エアインタフェースの強制再選択が起こったときは、ＭＳは先ず、判っている場合は、最後のアクティブインタフェースを選択しようと試みる。そうでなければ、もしそのような優先がＳＩＭに定義されてプログラムされているか、又は不揮発性メモリにプログラムされている、デフォルトのエアインタフェースであるならば、ＭＳはユーザの選択したエアインタフェースを選択しても良い。もし選択されたエアインタフェースに適切なセルが見出されなかったならば、セルの選択は終止し、そしてＭＳは他のエアインタフェースを選択しようと試みる。好ましくは、ＭＳが、１つのエアインタフェース上又は別のエアインタフェースにセルの存在又は先行性についてのアプリオリ情報を持たないとき選択を最適にするには、インタフェースの選択の順についての最初の決定が、それらのそれぞれの周波数帯域の両方のエアインタフェース上で受信した信号の最初の電力測定によって好ましくは先行させられる。最後に、もし全ての利用できるインタフェースが試みられて、何ら適切なセルが見つからなかったときは、失敗の指示が上位プロトコルレイヤ(protocol layer)へ、それからユーザへ、伝達されて、モード選択は終わる。
【００３３】
好ましくは、ＭＳは、所定の再選択基準が満たされたとき、配列された再選択を行う。
【００３４】
例えば、本発明の好ましい実施形態では、ＭＳは、もし下記の条件の全てが満たされたならば、受動エアインタフェースの定期的な監視を始める。
【００３５】
１．ネットワークは、受動エアインタフェース上で作動している隣接したセルが利用可能であると、ネットワークはＭＳに指示をブロードキャストする；そして
２．アクティブエアインタフェース上で作動している全てのセルからＭＳによって受信された信号レベルは一定の時間Ｔに対する（ネットワークでブロードキャストされることがある）所定の閾値より低い、ここで、好ましくはＴ＝５秒である；そして
３．一定の時間Ｔに対するアクティブモードの「隣接候補」セルのリストに、所定数のセルよりも少ない数の、好ましくは二つのそのようなセルよりも少ないセルがある。
【００３６】
ここで、ＭＳは、アクティブ及び受動エアインタフェースでセルから受信した信号の強さ又は相対的な品質を測定し比較することによってエアインタフェース再選択を行うかどうかを決定する。本発明の幾つかの好ましい実施形態では、エアインタフェース再選択の決定のために、下記を含む組合せ再選択基準によって、測定した信号強度又は品質が重みを付けられる：
上文に述べるエアインタフェース優先（または優先性）；
インタフェース再選択のヒステリシス、エアインタフェースの間の頻繁な変化を防止するために加えられたファクタ(factor)；
カバレッジの突然の終わりに遭遇する前にアクティブモードを変化させるように、一定のカバレッジエリアの境界セルにＭＳが所在する状況を考慮に入れる、強力な隣接（ＳＮ）査定。
【００３７】
他の適切な基準は当業者には明らかであろう。
【００３８】
従って、本発明の好ましい実施形態によると、第１のエアインタフェースを介して作動する第１のタイプの基地局および第２のエアインタフェースを介して作動する第２のタイプの基地局を含む移動無線通信システムにおいて、第１のタイプのものである第１の基地局および第２のタイプのものである第２の基地局に関連したセルに設営された移動局によって再選択するための方法であって、
前記第２の基地局から前記第２のエアインタフェースを介して信号を受信し、
前記信号の特性を評価し、
前記特性に応じて、前記第１の基地局の代わりに前記第２の基地局を選択し、
前記第２の基地局に関連したセルに設営することを含む方法が提供される。
【００３９】
好ましくは、前記第１および第２のエアインタフェースの一方がＴＤＭＡエアインタフェースを含み、かつ他方がＣＤＭＡエアインタフェースを含み、前記特性を評価することがＣＤＭＡパス損失基準(path loss criterion)を前記信号に適用することを含む。加えて、あるいはこれとは別に、前記第２の基地局を選択することが、前記移動局のＧＳＭ無線インタフェースプロトコルレイヤに実質的に透過するように前記ＣＤＭＡエアインタフェースを介してセル選択および再選択手順を用いることを含む。好ましくは前記移動局が前記ＣＤＭＡエアインタフェースを介して作動する前記基地局に関連した前記セルに設営されている間、前記移動局が、通常ＧＳＭ標準に従ってアイドルモード手順を実行する。
【００４０】
さらに好ましくは、前記第１の基地局の代わりに前記第２の基地局を選択することが、ＧＳＭおよびＣＤＭＡ動作モードの両方をサポートする前記移動局で単一の無線リソース管理プロトコルを使用することを含む。好ましい実施形態において、前記無線リソース管理プロトコルレイヤが、並列ＧＳＭおよびＣＤＭＡプロトコルサブレイヤと、ＧＳＭ作動モードあるいはＣＤＭＡ作動モードのいずれかを選択する結合器(combiner)サブレイヤとを含んでいる。好ましくは、前記結合器サブレイヤが、ＧＳＭ標準に従ってサービスアクセスポイントでメッセージを移動管理プロトコルレイヤから受信し、かつ前記メッセージを選択されたＧＳＭあるいはＣＤＭＡサブレイヤに向けるプリミティブ(primitives)にマッピングする。
【００４１】
好ましい実施形態において、前記信号を前記第２のエアインタフェースを介して受信することは、前記第１のエアインタフェースを介して前記信号を受信するためにも使用される前記移動局の単一の無線トランシーバを使用して信号を受信することを含む。好ましくは、前記信号を受信することは、信号をＧＳＭあるいはＣＤＭＡのシグナリングモードのいずれかで信号を受信することを含む。
【００４２】
好ましくは、前記移動局が前記第１の基地局に関連したセルに設営されている間、それは、前記移動局の断続する(intermittent)アクティブ(active)期間中そこから信号を受信し、前記第２のエアインタフェースを介して前記信号を受信することが、前記アクティブ期間の中間の前記移動局のスリープ(sleep)期間中信号を探し、受信することを含む。
【００４３】
好ましい実施形態において、前記信号を受信することが、前記第１のエアインタフェース上の信号によって検出されたカバレッジの損失に応じて前記第２のエアインタフェースを介して信号を受信するように前記移動局を制御することを含む。
【００４４】
別の好ましい実施形態において、前記信号を受信することが、所定の監視基準が満たされたことの指示に応じて前記第２のエアインタフェースを介して信号の監視を始めることを含む。好ましくは、前記指示が、セルが前記第２のエアインタフェースを介して利用可能である前記移動局に前記第１のエアインタフェースを介してブロードキャストされたメッセージを含む。さらに好ましくは、前記監視を始めることが、前記第１のエアインタフェースを介して受信された信号のレベルに応じて前記第２のエアインタフェースを介して監視を始めることを含む。最も好ましくは、前記移動局が、前記第１のエアインタフェースを介して複数の候補セルから信号を受信しようと試み、ここで前記第１のエアインタフェースを介して受信された信号が所定の時間所定のレベルより低いである場合、前記監視を始めることが、前記第２のエアインタフェースを介して監視を始めることを含む。
【００４５】
好ましくは、前記移動局は、前記第１のエアインタフェースを介して信号を複数の候補セルから受信しようと試み、前記第１のインタフェースを介する候補セル数が所定の時間所定の最少数よりも小さい場合、前記監視を始めることは、前記第２のエアインタフェースを介して監視を始めることを含む。加えて、あるいはこれとは別に、前記監視を始めることは、前記第２のエアインタフェースを介する監視が生じなかった所定の時間の満了の際に監視を始めることを含む。
【００４６】
好ましい実施形態において、前記信号を受信することが、前記移動局による所望のレベルのエネルギー消費に応じて前記信号を受信する際に前記移動局によって費やされたエネルギーを調整することを含む。好ましくは、費やされた前記エネルギーを調整することが
、前記所望のレベルのエネルギー消費に応じて前記信号を受信するためのサンプリングレートを設定することを含む。加えて、あるいはこれとは別に、費やされた前記エネルギーを調整することが、前記所望のレベルのエネルギー消費に応じて前記信号を受信するための多数の前記第２のタイプの前記基地局を選択することを含む。さらに加えて、あるいはこれとは別に、費やされた前記エネルギーを調整することが、前記移動局によって提供された所望のレベルのサービスの質に応じて前記信号を受信するように前記移動局のアベイラビリティ(availability)を調整することをさらに含む。
【００４７】
好ましくは、前記特性を評価することが、前記第２の基地局から受信された前記信号を、前記第１の基地局から前記第１のエアインタフェースを介して受信された信号と比較し、前記第２の基地局を選択するかどうかを決定するように再選択基準を前記受信された信号に適用することを含む。好ましい実施形態において、前記基準を適用することが、所定のエアインタフェース優先に応じて測定された信号の特性に重みを付けることを含む。好ましくは、前記優先が、移動局のユーザによって設定される。あるいはまた、前記優先が、前記基地局が関連するネットワークによって設定される。加えて、あるいはこれとは別に、前記移動局が前記優先の記録を記憶している。
【００４８】
好ましくは、前記基準を適用することが、前記エアインタフェースの繰り返される再選択を防止するように所定のヒステリシスファクタを適用することを含む。
【００４９】
好ましい実施形態において、前記信号を比較することが、前記移動局が前記第１のエアインタフェースを介して供給されたカバレッジの境界領域にある場合、強い隣接セルの評価を実行することを含む。
【００５０】
好ましくは、前記特性を評価することが、前記第１および第２のエアインタフェースを介して受信された信号のパワーレベルを比較することを含み、前記第１および第２のエアインタフェースを介して受信された信号から得られたパス損失基準を比較することを含む。
【００５１】
加えて、あるいはこれとは別に、前記第２の基地局を選択することが、通信する公衆陸上移動ネットワークの前記移動局による選択に応じて基地局を選択することを含む。
【００５２】
好ましい実施形態において、前記第２の基地局を選択することが、インタフェース再選択のための基準に関して前記第１のエアインタフェースを介してブロードキャストされた情報を受信し、かつ前記ブロードキャスト情報に応じて前記第２の基地局を選択することを含む。
【００５３】
別の好ましい実施形態において、前記第２の基地局を選択することが、インタフェース再選択のための基準に関して前記移動局のメモリモジュールに情報を記憶し、前記記憶情報に応じて前記第２の基地局を選択することを含む。
【００５４】
本発明の好ましい実施形態によると、第１のエアインタフェースに関連した第１のセルと、第２のエアインタフェースに関連した第２のセルとを含む移動無線通信システムにおいて、
前記第１および第２のエアインタフェースをそれぞれ介して前記第１および第２のセルから信号を受信する少なくとも１つの無線トランシーバと、
移動局が前記第１のセル上にアイドルモードで設営される間、前記第２のセルから受信された信号を処理し、かつ前記第２の信号を評価し、かつそれに応じて移動局に前記第２のセルを再選択し、かつ前記第２のセル上に設営するように命令する制御回路とを備えている移動局が、さらに提供される。
【００５５】
好ましくは、前記少なくとも１つのトランシーバが、前記第１のエアインタフェースあるいは第２のエアインタフェースのいずれかを介して作動できる単一の無線トランシーバを含む。
【００５６】
好ましい実施形態において、移動局は、インタフェース再選択のための基準に関して情報を記憶する加入者情報モジュールを含み、かつ前記制御回路が、前記移動局が前記記憶された情報に応じて前記第２のセルを再選択し、前記第２のセル上に設営すべきであるかどうかを決定する。
【００５７】
本発明の好ましい実施形態によると、移動無線通信システムにおいて、前記第１のセル上に設営された移動局によるセル再選択ための方法であって、
放送によって第２のセルから信号を受信し、
前記第２のセルが前記第１のセルからの異なる位置領域に属するかどうかを決定し、
前記第２のセルの決定された位置領域に応じて、前記信号の特性を評価し、
前記評価に応じて、前記第１のセルの代わりに設営する前記第２のセルを選択することとを含む方法が、さらに提供される。
【００５８】
好ましくは、前記信号の特性を評価することが閾値基準を前記信号に適用することを含む。前記第２のセルが前記第１のセルとは異なる位置領域に属する場合、閾値は比較的高く、前記第２のセルが前記第１のセルと同じ位置領域に属する場合、閾値は比較的低い。
【００５９】
好ましい実施形態において、前記第２のセルが異なる位置領域に属するかどうかを決定することが、前記第２のセルの前記位置領域を示す前記第１のセルからのブロードキャストを受信することを含む。
【００６０】
別の好ましい実施形態において、前記第２のセルが異なる位置領域に属するかどうかを決定することが、前記移動局のメモリで前記第２のセルの前記位置領域の記憶された記録を調べることを含む。
【００６１】
本発明の好ましい実施形態によると、移動無線通信システムにおいて、
前記移動局が第１のセルに設営されている間、第２のセルから信号を受信する無線トランシーバと、
前記第２のセルが前記第１のセルとは異なる位置領域に属するかどうかを決定し、かつ前記第１のセルの代わりに設営するために前記第２のセルを選択するかどうかを決定するように前記第２のセルの決定された位置領域に応じて前記第２のセルから受信された信号を処理する制御回路とを備えている移動局がさらに提供される。
【図面の簡単な説明】
【００６２】
【図１】本発明の好ましい実施形態に従う、ハイブリッドＧＳＭ／ＣＤＭＡセルラー通信システムの概略ブロック図である。
【図２】本発明の好ましい実施形態に従う、アイドルモードのセル及びエアインタフェース選択の方法を理解するのに有用な、図１のセルを示す概略図である。
【図３】本発明の好ましい実施形態に従う、図１のシステムの移動局と基地局サブシステムとの間の通信プロトコルを説明する概略ブロック図である。
【図４】本発明の好ましい実施形態に従う、ハイブリッドＧＳＭ／ＣＤＭＡ移動局の概略ブロック図である。
【図５】本発明の好ましい実施形態に従う、図３に示したプロトコルレイヤの詳細を説明する概略ブロック図である。
【図６】本発明の好ましい実施形態に従う、図３に示したプロトコルレイヤの間のメッセージの流れを説明する概略ブロック図である。
【図７】本発明の好ましい実施形態に従う、図１のシステムの移動局のアイドルモードの動作を説明するフローチャートである。
【図８】本発明の好ましい実施形態に従う、図１のシステムの移動局のアイドルモードの動作を説明するフローチャートである。
【図９】本発明の好ましい実施形態に従う、移動局によって行われるアイドルモードのプロセスを説明するフローチャートである。
【図１０】本発明の好ましい実施形態に従う、移動局によって行われるアイドルモードのプロセスを説明するフローチャートである。
【図１１】本発明の好ましい実施形態に従う、移動局によって行われるアイドルモードのプロセスを説明するフローチャートである。
【図１２】本発明の好ましい実施形態に従う、移動局によって行われるアイドルモードのプロセスを説明するフローチャートである。
【図１３】本発明の好ましい実施形態に従う、アイドルモードのセル選択の方法を説明するフローチャートである。
【図１４】本発明の好ましい実施形態に従う、アイドルモードのセル選択の方法を説明するフローチャートである。
【図１５】本発明の好ましい実施形態に従う、アイドルモードのセル再選択の方法を説明するフローチャートである。
【図１６】本発明の好ましい実施形態に従う、インタフェース選択の方法を説明するフローチャートである。
【図１７】本発明の好ましい実施形態に従う、エアインタフェースの再選択が必要であるかどうかを決定するための決定基準を模式的に説明するブロック図である。
【発明を実施するための形態】
【００６３】
本発明は、添付の図面と共に、以下の本発明の詳細な記述から、より完全に理解されるだろう。
【００６４】
本発明はその好ましい実施形態の下記の詳細な説明から、図面と共に読めば、より完全に理解されるであろう。
【００６５】
ハイブリッドＧＳＭ／ＣＤＭＡセルラーシステムの一般的な特徴
ここでは、本発明の好ましい実施形態に従って、ハイブリッドＧＳＭ／ＣＤＭＡセルラー通信システム２０の概略ブロック図である図１が参照される。システム２０は、前記に説明されるように、ＧＳＭネットワークプロトコルに基づく公衆陸上移動ネットワーク（ＰＬＭＮ）２２の回りに構築される。簡略さのために、１つのＰＬＭＮだけが図１に示されているが、加入者装置がそれを通して通信できるこの種の複数の異なるネットワークがあってよい。
【００６６】
ＰＬＭＮ２２は、少なくとも１つの移動体サービス交換センタ（ＭＳＣ）２４、または地理学的な領域内でのネットワーク動作を制御する、（ここでは図解の明確さのために１つのＭＳＣだけが示されているが）おそらく多くのこのようなセンターを備える。他の機能の中では、ＭＳＣ２４は、加入者装置の位置登録およびＰＬＭＮ２２を公衆加入電話網（ＰＳＴＮ）および／またはパケットデータネットワーク（ＰＤＮ）４８にリンクするだけではなく、基地局間の加入者装置のハンドオーバーも担当する。ＰＬＭＮは、ＧＳＭ標準に従ってネットワーク管理センタ（ＮＭＣ）２６、およびセルブロードキャストセンター（ＣＢＣ）２８も備える。システム２０の機能および動作は、前述された米国特許出願第０９／３６５，９６７号にさらに説明される。
【００６７】
システム２０は、受け入れられたセルラー通信周波数の１つまたは複数の内の無線ＲＦリンク上で、複数の基地局サブシステム（ＢＳＳ）３０および３２を介してＰＬＭＮ２２と通信する複数の移動局（ＭＳ）４０を含む。加入者装置としても知られているＭＳ４０は、実質的に標準的なＧＳＭ  ＴＤＭＡシグナリングプロトコルを使用するＧＳＭ  ＢＳＳ３０、および後述されるＣＤＭＡをベースにした通信方法を使用するＣＤＭＡ  ＢＳＳ３２の両方と通信することができる。
【００６８】
ＧＳＭ  ＢＳＳ３０およびＣＤＭＡ  ＢＳＳ３２の両方ともＭＳＣ２４と通信し、ＭＳＣ２４によって制御される。ＧＳＭ  ＢＳＳ３０とＭＳＣ２４間の通信は、実質的にはＧＳＭ標準に準拠している。ＣＤＭＡ  ＢＳＳ３２はＧＳＭ標準に従ってＰＬＭＮ２２と通信する。ＢＳＳ３２も、好ましくは、本発明出願の譲受人に譲渡され、その開示が参照してここに組み込まれている米国特許出願番号第０９／３６５，９６３号に記述されているように、放送によってブロードキャストされるメッセージを受信するためにＣＢＣ２８と通信する。ＢＳＳ３２は、好ましくは、ＮＭＣ２６と通信する無線動作維持センタ（ＯＭＣ−Ｒ）３８も備える。
【００６９】
ＣＤＭＡ  ＢＳＳ３２とＭＳ４０間の通信は、好ましくは、一般的にＣＤＭＡ通信用のＩＳ−９５標準に準拠するＣＤＭＡ「エアインタフェース」上に構築される。ＢＳＳ３２は、多くの基地局トランシーバ（ＢＴＳ）３６を制御し、それと通信する基地局制御装置（ＢＳＣ）３４の回りに構築される。各ＢＴＳは、ＭＳが地理学上の領域、つまり特定のＢＴＳによってサービスを提供されるセル内にあるとき、ＲＦ信号をＭＳ４０に送信し、ＭＳ４０からＲＦ信号を受信する。アイドルモードに入ると、電源投入直後またはコールの間のどちらかで、ＭＳはセルの内の１つを選択し、設営する。アイドルモードにある間、ＭＳは、継続的にそれ以外の、通常は近隣のセルを監視し、設営すべき新規セルを選択するかどうかを判断する。
【００７０】
図２は、本発明の好ましい実施形態に従った、アイドルモードのセル選択の観点を示す、システム２０内の重複するＧＳＭ／ＴＤＭＡセル４７およびＧＳＭ／ＣＤＭＡセル４９の概略マップである。ＭＳ４０がＴＤＭＡセル４７だけによってサービスを受けている（つまり、ＧＳＭ  ＢＳＳ３０と関連付けられている）領域内にあるとき、それはこれらのセルの内の１つを選択し、設営し、定期的に近隣のセルから受信される信号を監視し、セル再選択（設営するための新規ＴＤＭＡセルの選択）が要求されるかどうかを決定する。しかしながら、ＭＳが図２に示されているセル１から５の内のどれかに移動すると、それはＣＤＭＡ  ＢＳＳ３２と関連するセルからのＣＤＭＡ信号を監視してもよい。適切な場
合、ＭＳは設営するためのＣＤＭＡセルの１つを選択し、その結果セルだけではなく、エアインタフェースも再選択される。セル３、４および５は、ＭＳ４０がＧＳＭ／ＴＤＭＡ  ＢＳＳによってサービスを受けている領域の最後に達することが知られており、エアインタフェースの再選択が必要とされる可能性のある「境界セル」と見なされるだろう。セルおよびエアインタフェース再選択の類似するプロセスは、ＭＳがＣＤＭＡセルの内の１つによってサービスを受けるときに起こる。
【００７１】
このような監視、セル選択および再選択をシステム２０内で実行するための方法が、さらに後述される。１つのＣＤＭＡ  ＢＳＳ３２とシステム２０の別のものとの間だけではなく、ＧＳＭ／ＣＤＭＡとＧＳＭ／ＴＤＭＡサービスの間で、および専用モード（コールの間に）でその逆の間でもハンドオーバーを実行するための装置は、さらに、前述された米国特許出願番号第０９／３６５，９６７号に説明される。このような方法、および図１に図示されるようなシステム２０のアーキテクチャのため、ＭＳ４０は、サービスがＴＤＭＡ領域内でのサービスを失わずに実現されているシステム２０によってサービスを受けるそれらの領域内でＣＤＭＡサービスの恩恵を受ける。ＣＤＭＡ領域とＴＤＭＡ領域間の遷移は、さらに高いレベルのＧＳＭネットワークプロトコルがシステム全体で観察され、さらに低いレベルのＲＦ物理インタフェースだけが遷移中に変更されるため、ＭＳ４０のユーザには、実質的には透過である。
【００７２】
移動局の構造およびプロトコル
図３は、本発明の好ましい実施形態に従って、ＭＳ４０およびＢＳＳ３０と３２の間の通信プロトコルスタックを概略で示すブロック図である。ＭＳ４０は、実質的に修正なく、ＧＳＭ標準に従って、ＧＳＭ／ＴＤＭＡエアインタフェース上でＧＳＭ  ＢＳＳ３０と通信する。したがって、ＭＳ４０に適合するためには、ＢＳＳ３０に対して、または図中のブロック５３と５４により示されているＧＳＭレイヤ１およびレイヤ２に対して、実質的には何の修正も必要とされない。ＭＳ４０は、好ましくは一定の修正のあるＣＤＭＡ  ＩＳ−９５エアインタフェースに基づき、ＣＤＭＡエアインタフェース上でＣＤＭＡ  ＢＳＳ３２と通信する。技術で既知である移動局は、ＧＳＭエアインタフェースまたはＣＤＭＡエアインタフェースのどちらかで動作することができるが、両方ではできない。
【００７３】
これらのインタフェースの両方ともを持続するために、ＭＳ４０は、１台はＴＤＭＡ動作のために、１台はＣＤＭＡ用に構成されている２台の無線トランシーバ、あるいはＴＤＭＡとＣＤＭＡの間で動的に切り替わることが可能な単一のトランシーバのどちらかを含む移動装置（ＭＥ）４２（図１）を備える。ＭＥは、音声および／またはデータ入力と出力用の端末装置（ＴＥ）４６をサポートする移動端末（ＭＴ）も含む。加えて、ＭＳ４０は、ＧＳＭ標準にしたがって、加入者アイデンティティモジュール（ＳＩＭ）４４を備える。
【００７４】
図４は、ここでは、本発明の好ましい実施形態に従ってＭＥ４２の中に単一の無線トランシーバを備えるＭＳ４０を示す概略ブロック図である。ＭＳ４０は、ＴＤＭＡ信号とＣＤＭＡ信号の両方とも生成し、処理することができるＤＳＰコア６０を含む、モデム装置５９の回りに構築される。好ましくは、コア６０は、ＳＩＭ４４用のポートを有するだけではなく、ＧＳＭタイミング論理６４およびＧＳＭハードウェア加速装置（またはＤＳＰ）６２によってサポートされるスタンドアローンＣＤＭＡ送信／受信処理を含むＡＳＩＣ装置を備える。コア６０は入力を受け取り、出力をＴＥ４６に送達する。この場合では、ＴＥ４６は音声マイクロフォンおよびスピーカとして表されており、コア６０は、技術で既知であるように音声信号のボコーディング機能だけではなく、Ｄ／ＡおよびＡ／Ｄ変換も実行する。コア６０は、さらにまたは代わりに、ＴＥ４６で機能し、ファックス装置などのデジタルデータ入力／出力を提供する。
【００７５】
コア６０は、ＴＤＭＡフォーマットまたはＣＤＭＡフォーマットのどちらかであってよいデジタルデータを、混合信号出力装置６６に出力する。装置６６は、ＲＦ送信機６８への入力のために、データを処理し、アナログベースバンド形式に変換する。デュプレクサ７０は、ＧＳＭ基地局またはＣＤＭＡ基地局に、結果として生じるＲＦ信号をアンテナを介して適宜伝達する。基地局から受信された信号は、ベースバンド変換およびＡＧＣ機能を実行する混合信号入力装置７４およびＲＦ受信機７２を通してデュプレクサ７０によってコア６０に渡される。好ましくは、送信機６８、受信機７２および混合信号装置６６と７４はコア６０によって制御される。
【００７６】
本発明の好ましい実施形態では、ＧＳＭ／ＣＤＭＡ  ＭＳ４０のＳＩＭ４４は、拡張読書きメモリを備える。このメモリは、従来のＧＳＭ動作には必要とされない、あるいはこれによってはサポートされないＧＳＭ／ＣＤＭＡ動作で使用された日付およびプログラムを記録するために使用される。さらに、あるいはこれとは別に、ＭＳはＳＩＭとは無関係に、一体化した不揮発性メモリを含み、このようなデータおよびプログラムが記憶される。
【００７７】
ＭＳ４０によるＲＦ送信および受信は、既存のＧＳＭ装置、特にＢＳＳ  ３０との互換性のために、好ましくはＧＳＭ９００および／または１８００ＭＨｚバンド内の周波数におけるものである。好ましくは、送信機６８および受信機７２は、ＧＳＭバンドの両方で動作できる二重バンド装置である。ＭＳ４０が、ＧＳＭバンドで動作している、図４に示されている単一のトランシーバだけを含むと仮定すると、システム２０の中のＣＤＭＡ装置は、これらの周波数範囲内で動作するように適切に構成されなければならない。
【００７８】
ＭＳ４０が、アイドルモードにある、つまりコールのセットアップまたは実行に従事していないとき、それは設営し、ページングメッセージを適切なＢＳＳから受け取る準備ができるように、ＧＳＭ  ＢＳＳ３０またはＣＤＭＡ  ＢＳＳのどちらかに属しているセルからのメッセージを「傾聴」する。ＭＳが設営されるセルが、ここではサービングセルと呼ばれる。ＭＳはエアインタフェースの一方または他方を選択し、設営するセルを選択する方法が、さらに以下に後述される。ＭＳは、別のサービングセルを選択するかどうかを判断するために、ここではアクティブインタフェースと呼ばれている、選択されたエアインタフェースに属する他のセルも監視する。アイドルモードでの電力消費を削減するために、典型的には、エアインタフェースの内の１つだけが任意の一定の時間でアクティブである。他のエアインタフェースはここでは受動インタフェースと呼ばれている。やはり後述される一定の状況の下で、ＭＳは受動エアインタフェースでのセルからの信号を監視し、その結果受動インタフェースは、アクティブインタフェースとなるように再選択されことができ、およびその逆が可能である。
【００７９】
図３に戻ると、ＭＳ４０が、物理的に１つのトランシーバを含むのかまたは２つのトランシーバを含むのかに関係なく、それは、ＧＳＭ  ＢＳＳ３０とＣＤＭＡ  ＢＳＳ３２に対する動作のために、そのプロトコルスタック内で二重エアインタフェースレイヤ１と２とをサポートしなければならない。前記に注記されたように、任意の一定の時間に、これらのエアインタフェースのうちの１つがアクティブであり、他方が受動的であるように選択される。ＭＳ４０とＣＤＭＡ  ＢＳＳ３２の間のＣＤＭＡエアインタフェースは、好ましくは標準ＩＳ−９５プロトコルで動作する物理層としても知られているＣＤＭＡレイヤ１（図ではブロック５１）、および好ましくはＩＳ−５に基づき、ＧＳＭネットワークサービスのニーズに適合するための適切な修正があるＣＤＭＡデータリンクレイヤ２（ブロック５２）を備える。
【００８０】
アイドルモード動作では、ＭＳ４０内のＧＳＭ／ＣＤＭＡ物理層が前述された米国特許出願第０９／３６５，９６３号に記述されるように、適宜に、スロット化モードまたは非スロット化モードのどちらかで動作しているＭＳにアドレス指定されるメッセージのために、ＣＤＭＡ  ＢＴＳ３６のブロードキャストチャネルを監視する。これは、ＣＤＭＡエアインタフェースはアクティブである限り、あるいはＧＳＭエアインタフェースはアクティブであるが、セルが受動ＣＤＭＡエアインタフェースでも監視されなければならない状況が生じたときに発生する。物理層は、ＭＳのスロット化モード動作と調整して上位プロトコルレイヤへメッセージを渡す。
【００８１】
ＣＤＭＡエアインタフェースがアクティブであると、ＣＤＭＡレイヤ１は、サービングセルに関係するパイロットビームの強さ、およびアクティブなインタフェースに属する所定数の近隣セル、好ましくは６つのこのようなセルを測定する。測定は、好ましくは約１秒に一度リフレッシュされる。他方、ＧＳＭ／ＴＤＭＡエアインタフェースはアクティブなものであり、ＣＤＭＡレイヤ１は、受動ＣＤＭＡインタフェースに属する近隣セルのタイミング、品質、ＲＦ強度およびセル情報を監視するために、（さらに後述される）ＧＳＭ／ＣＤＭＡ  ＲＲサブレイヤ５５によって呼出すこともできる。これらの機能はＧＳＭ仕様にしたがってＧＳＭ／ＴＤＭＡレイヤ１によって実行された機能と実質的には類似している。
【００８２】
ＣＤＭＡレイヤ２は、好ましくはＩＳ−９５仕様に準拠するが、メッセージ配列、優先順位および断片化、および通常標準ＧＳＭレイヤ２によってサポートされているが、ＣＤＭＡ  ＩＳ−９５によってはサポートされていない通信の一次停止および再開などの機能性も含む。特に、ＭＳ４０がアイドルモードにある間、ＣＤＭＡレイヤ２は、ＩＳ−９５仕様にしたがったページングおよびアクセスチャネル上の肯定応答されていない動作と、ＧＳＭ仕様の特徴であるアイドルモードチャネル要求のための肯定応答された動作の両方ともサポートする。このようなＣＤＭＡレイヤ２の設計および動作は、本特許出願の譲受人に上とされ、その開示が参照してここに組み込まれている、１９９９年９月２９日に提出された「ＧＳＭ−ＣＤＭＡエアインタフェース用シグナリングデータリンク（Ｓｉｇｎａｌｉｎｇ  Ｄａｔａ  Ｌｉｎｋ  ｆｏｒ  ａ  ＧＳＭ−ＣＤＭＡ  Ａｉｒ  Ｉｎｅｒｆａｃｅ）」と題される米国特許出願にさらに詳細に説明されている。ＧＳＭ  ＢＳＳ３０と比べて、エアインタフェースレイヤ１と２は、実質的には修正なくＧＳＭ標準に準拠している。
【００８３】
発明の背景で注記されたように、標準ＧＳＭプロトコルは、ＧＳＭレイヤ１とレイヤ２の上の３つのサブレイヤを含む無線インタフェースレイヤ３（ＲＩＬ３）を含む。これらの３つのＲＩＬサブレイヤの内最も低いのが無線リソース（ＲＲ）管理サブレイヤであり、その上で移動管理（ＭＭ）および接続管理（ＣＭ）サブレイヤにサービスを提供する。ＧＳＭ  ＢＳＳ３０の中のＲＩＬサブレイヤは、ＧＳＭ標準に関して実質的には未変化であり、ＧＳＭ  ＭＭおよびＣＭサブレイヤは同様に、実質的にはＭＳ４０内での変化なく維持される。ＣＭサブレイヤは、ＧＳＭ補助サービスおよび短メッセージサービス（ＳＭＳ）だけではなく、コール処理のためのシグナリングもサポートする。ＭＭサブレイヤは、さらに後述されるように、ＭＳ４０およびＰＬＭＮ選択の位置を更新するために必要とされるシグナリングをサポートし、ＳＩＭ４４と通信する。
【００８４】
未修正の上位ＭＭサブレイヤおよびＣＭサブレイヤをサポートするために、ＧＳＭ−ＣＤＭＡ  ＲＲサブレイヤ５５がＭＳ４０およびＢＳＳ３２プロトコルスタックの中に導入される。無線リソースを管理しＭＳ４０およびＢＳＳ３０と３２の間の無線リンクを維持するＭＳ内のＧＳＭ／ＣＤＭＡ  ＲＲサブレイヤは、ＭＳ４０プロトコルスタック内の二重のＧＳＭとＣＤＭＡ下位レイヤ（レイヤ１と２）の存在に「気付いて」いる。それは、ＧＳＭエアインタフェース上でＢＳＳ３０の標準ＲＩＬ３０ＲＲサブレイヤまたはＣＤＭＡエアインタフェース上でＢＳＳ３２のＧＳＭ／ＣＤＭＡ  ＲＲサブレイヤのどちらかと通信するためにＭＳスタック内の適切な下位レイヤを呼出す。ＭＭサブレイヤおよびＣＭサブレイヤはＢＳＳ３２によって処理されないが、下のＣＤＭＡエアインタフェースレイヤに実質的には透過な方法で処理するために、むしろＭＳ４０とＭＳＣ２４の間を通して中継される。
【００８５】
ＧＳＭ／ＣＤＭＡ  ＲＲサブレイヤ５５は、エアフェースのどれが使用中であるのかに関係なく、標準ＧＳＭ  ＲＩＬ３−ＭＭおよびその上のＣＭサブレイヤ５６と５７をサポートする。ＲＲサブレイヤは、好ましくは、参照してここに組み込まれているＧＳＭ仕様０４．０７および０４．０８によって定義されるように完全な無線リソース管理機能性を提供する。「ＲＲ」サブレイヤそれ自体はＣＤＭＡ  ＩＳ−９５標準によって定義されていないが、ここに説明されているＧＳＭ／ＣＤＭＡ  ＲＲサブレイヤは、好ましくは完全ＩＳ−９５無線リソース機能性も維持する。
【００８６】
ＧＳＭ標準に従って、ＲＲサブレイヤの機能性は、アイドルモード動作および専用モードサービス（つまり、電話会話中に実行されるサービス）の両方を含む。ＲＲサブレイヤのアイドルモード動作は、ＧＳＭ標準、とくにＧＳＭ標準０５．０８により指定されるようなセル変更指示を伴う、ＣＤＭＡセルの組とＧＳＭセルの組の間だけではなく、ＧＳＭセルとＣＤＭＡセルの間の自動セル選択および再選択（アイドルハンドオーバー）を含む。アイドルモードのＲＲサブレイヤも、ＧＳＭ標準およびＣＤＭＡ標準で指定される、近隣セルの監視、ブロードキャストチャネル処理、ならびにＲＲ接続の確立を実行する。
【００８７】
ＲＲサブレイヤ５５の前記特徴が要約によってのみリストされている旨、および追加詳細および特徴は発表されているＧＳＭ仕様およびＣＤＭＡ仕様に基づき追加されてよい旨が、当業者により理解されるだろう。
【００８８】
図５は、本発明の好ましい実施形態に従って、ＧＳＭ／ＣＤＭＡ  ＲＲサブレイヤ５５の詳細を示すブロック図である。ＲＲサブレイヤは、好ましくは、図中で、それぞれＲＲＧ８０とＲＲＣ８４とラベルが付けられている、別個のＧＳＭアイドルモードプロセスとＣＤＭＡアイドルモードプロセスを含む。ＲＲＧプロセスおよびＲＲＣプロセスは、ともにＲＲＸプロセスとして以下に参照される。プロセスのそれぞれが、それぞれの種類のＢＴＳとのＭＳ４０のアイドルモード通信を担当し、それぞれのＧＳＭ／ＴＤＭＡまたはＧＳＭ／ＣＤＭＡレイヤ２とインタフェースする。ＲＲＧプロセスおよびＲＲＣプロセスの動作は、ＲＲ結合器（ＲＲＣＯ）プロセス８４によって調整される。
【００８９】
ＲＲ結合器は、好ましくはＧＳＭ標準０４．０７によって規定されている、実質的に標準的なＧＳＭサービスアクセスポイント（ＳＡＰ）を通ってその上にある外ＭＭサブレイヤにインタフェースする。このようにして、ＭＭサブレイヤ５６は、プログラムされることができ、実質的には修正なく、ＧＳＭ標準に従って完全に動作することができる。ＧＳＭ標準により要求されるように、ＲＲサブレイヤによりＭＭサブレイヤに提供されるサービスは、好ましくは以下を含む。
【００９０】
・サービングセルのページングチャネルが使用できないときをＭＭサブレイヤに示す。
【００９１】
・ＭＭサブレイヤからサービス要求を受け入れ、セルへのアクセスに失敗が発生する場合にＭＭサブレイヤに示す。
【００９２】
・関連するセル情報のあらゆる変更をＭＭサブレイヤに報告する。
【００９３】
・使用可能なサービスがないために、セルを選択できないときだけではなく、無事にセル選択したときにもＭＭサブレイヤに報告する。
【００９４】
・ＭＭサブレイヤにより要求されるときに、使用可能なＰＬＭＮのリストを作成する。
【００９５】
好ましくは、ＲＲＧプロセスとＲＲＣプロセスの両方とも、それぞれＧＳＭ  ＲＲサブレイヤの実質的には完全な機能性または同等なＩＳ−９５無線リソース管理機能を含む。アイドルモードでは、この機能性は、さらに後述されるように、セル選択および再選択を含む。それから、（アイドルモードの）ＲＲＣＯプロセスは、アクティブエアインタフェース、ＧＳＭ／ＴＤＭＡまたはＧＳＭ／ＣＤＭＡの選択および再選択に大きく制限される。このアプローチは、それが、既存のＲＲＧプログラムコードおよびＲＲＣプログラムコードを使用して、容易にかつ迅速に実現できるという点で有利である。代わりに、さらに効率的なメモリの使用は、ＲＲＧプロセスおよびＲＲＣプロセスの機能性を削減することによって、およびセル選択および再選択を実行するためにＲＲＣＯプロセスをプログラミングすることによって得られてよい。
【００９６】
前記に説明されたＭＳ４０のアイドルモード動作の特徴に従って、ＲＲＧプロセスおよびＲＲＣプロセスのうちの１つは、ＭＳがＴＤＭＡセルの上で設営されるのか、あるいはＣＤＭＡセルの上で設営されるのかに応じて、アクティブなプロセスとして定義される。アクティブなプロセスは、ＭＥ４２内のトランシーバ（図４）を制御し、ＧＳＭ標準に従って適切に設営されたセル活動を実行する。プロセスのその他の１つは受動プロセスであり、好ましくは、ＭＳによる電力消費を削減し、このようにして電池寿命を延ばすために、受動エアインタフェースでの定期的な監視および考えられるセル／エアインタフェース再選択をサポートするために必要とされる最小の活動に制限される。第２エアインタフェースに関する拡張されたセルブロードキャスト情報がサービングセルによって送信されると、アクティブプロセスは、関連情報を受け取りＲＲＣＯに渡す。
【００９７】
エアインタフェース再選択を実行するかどうかを決定するために、ＲＲＣＯは受動プロセスに測定要求を間欠的に渡し、それはそれから測定を行い、結果をＲＲＣＯに戻す。好ましくは、測定は、アクティブプロセスによってＲＲＣＯに報告されるように、ＤＲＸ（不連続受信）モードで動作しているアクティブプロセスの「スリープ期間」中に行われる。ＲＲＣＯは、受動モードプロセスから受け取られた測定を、アクティブモードプロセスによって行われてＲＲＣＯに渡された測定と比較し、比較に基づき、いつエアインタフェース再選択を行うのかを決定する。
【００９８】
図６は、ＲＲＣＯプロセス８４とＭＳ４０内およびＢＳＳ  ３０と３２内のその他のレイヤとサブレイヤの間のメッセージフローを概略して示すブロック図である。前記に注記されたように、ＲＲＣＯ８４は、実質的にはＧＳＭプロトコル標準、特にＧＳＭ標準０４．０７に準拠しており、好ましくはＲＲ  ＳＡＰ  ９０を介してＭＭレイヤ５６と通信する。ＲＲＣＯ８４は、ＳＡＰ９０を介して伝えられたＭＭ要求を、プロセスＲＲＧ８０とＲＲＣ８２のどちらかアクティブである方に適切な状態変数にマッピングしてから、状態変数をＲＲＧプロセスまたはＲＲＣプロセスにダウンロードする。ＳＡＰ９０上での通信は、ＧＳＭ標準により規定されるサービスプリミティブに基づき、機能拡張されたＧＳＭ／ＣＤＭＡ動作のための一定の追加を含んでよい。ＲＲＣＯ８４とＲＲＧ８０またはＲＲＣ８２の間だけではなく、ＲＲＣＯ８４とＭＭサブレイヤ５６の間でも伝えられるプリミティブおよび関連するパラメータは、付録Ｃに説明されている。
【００９９】
ＧＳＭ標準０３．２２は、ＭＳの、特にＭＳのＲＲプロトコルサブレイヤのアイドルモード動作を、通常サービスモードおよび制限サービスモードを有する二重状態機械という点で規定する。それぞれのこのようなサービスモードの場合に、ＭＳは（発明の背景に定められているように、「通常選択」、「記憶されたリスト選択」または「選択を選ぶ」状態である場合がある）選択状態で開始し、そこからＭＳは適切なセルを選択して設営状態でその上で設営することを試みる。必要なときには、ＭＳは再選択状態に入り、そこでは新規セルが設営するために選択される。
【０１００】
本発明の好ましい実施形態においては、ＲＲサブレイヤのＧＳＭ状態のそれぞれが、アクティブなＲＲＸプロセス（つまり、ＲＲＧまたはＲＲＣ）の、およびＲＲＣＯプロセスの対応する状態にマッピングされる。ＲＲＸプロセスおよびＲＲＣＯプロセスの状態および状態間の遷移は、さらに、図９、図１０、図１１および図１２に関して後述される。
【０１０１】
アイドルモード手順の概要
ここでは、本発明の好ましい実施形態に従って、ＧＳＭ／ＣＤＭＡ  ＭＳ４０のアイドルモード動作を概略して示すフローチャートである図７、８が参照される。
【０１０２】
初期化（電源投入）時、ＭＳ４０はＰＬＭＮ選択状態１００に入り、そこではそれは、ＭＭプロトコルサブレイヤ５６の制御下で、典型的にはＧＳＭ標準によって規定されているＰＬＭＮ選択基準に従ってＰＬＭＮを選択する。前記に注記されたように、ＭＳが（通常のサービスのために必要とされるように）ＰＬＭＮを選択できない場合、それは、ＧＳＭ制限サービス基準に従って制限サービスモードに入るだろう。それから、ＭＳ４０は、ＧＳＭ／ＴＤＭＡエアインタフェースおよびＣＤＭＡエアインタフェースのどちらか１つまたは両方で、その地理学上の領域内でのセルから受信される信号のアイドルモード監視を開始する。ＭＳは、インタフェース選択状態１０２に入り、その中ではそれは、後述される監視結果およびインタフェース選択基準に基づき、アクティブなインタフェースであるためにエアインタフェースの１つを選択する。
【０１０３】
エアインタフェースを選択し、ＰＬＭＮを無事に選択してから、ＭＳ４０は通常のセル選択状態１０６または記憶されたリストセル選択状態１０７に入り、その中でそれは選択されたアクティブエアインタフェースの適切なセル基準を満たすセルを選択しようとする。セル選択は、ＧＳＭ９００と１８００ＭＨｚバンドの間などのバンド選択も含むことがある。設営状態１０８およびセル再選択状態１１０とともに、セル選択状態は、選択されたエアインタフェースに特有である状態のグループに属する。言い替えると、ＧＳＭ／ＴＤＭＡエアインタフェースが選択されると、これらの状態でのＭＳの動作および状態の間で遷移を行うための決定基準は、実質的には関連ＧＳＭ標準に準拠している。他方、ＧＳＭ／ＣＤＭＡエアインタフェースが選択されると、後述されるように、それらは依然としてＧＳＭ標準に類似しているが、動作および決定基準は異なる可能性がある。
【０１０４】
どちらのエアインタフェースが選択されたにしても、ＭＳは適切なセルのサーチを続行するが、それがセルを見つけておらず、「適切なセルなし」基準がアクティブインタフェースに関して満たされるとあきらめる（ＭＳが記憶されたリスト選択状態１０７にあり、適切なセルを見つけないで使用可能なセルの記憶されたリストの最後に達すると、それはまず通常の選択状態１０６に進み、サーチを続行する）。この場合、ＭＳはインタフェース選択状態１０２に戻り、アクティブなインタフェースになるように他の（受動）エアインタフェースを選んでから、セル選択状態１０６または１０７に戻る。ＭＳが、両方のエアインタフェース上でセル選択をあきらめると、「サービスなし」指示が上位プロトコルレイヤ（ＭＭ）に戻される。
【０１０５】
無事にセル選択が終了する（再び、ＰＬＭＮが無事に選択されたと仮定する）と、ＭＳは状態１０８に入り、その中でそれは選択されたセルの上で設営し、通常の設営されたセル活動を適宜に実行する。セル選択または再選択時に必要なとき、位置の更新が、ＧＳＭ標準に従って実行される。定期的に、ＭＳは、後述される監視基準に基づいてアクティブエアインタフェースで近隣セルを監視する。セル再選択基準が満たされると、ＭＳは状態１１０に入り、その中ではそれはアクティブインタフェースに適切なセル再選択基準に基づきセルおよび／またはバンド再選択を実行しようとする。適切なセル基準を満たすセル（現在のセルまたは同じエアインタフェース上の新規セルのどちらか）が見つけられる場合、ＭＳは状態１０８に戻り、現在のセルまたは新規セルで設営する。しかしながら、「適切なセルなし」基準が満たされると、ＭＳは状態１０６に入り直し、必要ならばそこからインタフェース選択状態に戻ってよい。
【０１０６】
ＭＳが状態１０８にある間、それは、所定の受動インタフェース監視基準が、さらに後述されるように満たされると、受動エアインタフェース上のセルの監視も開始してよい。受動インタフェースに関して行われる測定に基づき、ＭＳはインタフェース再選択基準に基づいたインタフェース再選択の必要性を評価する。基準が満たされると、ＭＳはインタフェース再選択状態１１２に入る。セルが、現在のアクティブセルに好ましい受動エアインタフェース上で見つけられると、ＭＳは新規インタフェースセル選択状態１１３に入る。新規セルがこの状態で無事に選択されると、ＭＳは設営状態１０８に直接移動する。代わりに、ＭＳは、新規アクティブインタフェースに属する新規セルを選択するためにセル選択状態１０６に戻る。他方、受動インタフェース監視基準が満たされるが、ＭＳがインタフェース再選択の必要がないと判断する場合、ＭＳはそれ以降受動インタフェース監視を、好ましくは、ＭＳ電池を使い切る一定の高速サイクリングを妨げるためにヒステリシスタイマを使用して、定期的に再起動する。
【０１０７】
前記に注記されたように、ＭＳ４０が設営状態１０８でアイドル中である場合、それは上位ＭＭレイヤおよびＣＭレイヤから適切なページングメッセージまたはサービス要求を受け取った後に、接続された状態１１５内の専用モードサービスに入る準備が整っている
。ＭＳの専用モード動作は、前述された米国特許出願に説明され、本特許出願の範囲を超えている。専用サービスの終結時、ＭＳは、好ましくはセルを選ぶ選択状態１０５を介して、および必要な場合は、インタフェース選択１０２が後に続く通常セル選択１０６を介してアイドルモードに戻る。
【０１０８】
この時点までの説明は、ＰＬＭＮ選択が無事終了した状態でのインタフェースおよびセル選択に関するものである。これが当てはまらない場合、ＭＳは、発明の背景に説明されるように、制限サービスモードに入り、そこではそれは、それが緊急コールを行うことができるようにする任意のＰＬＭＮ、エアインタフェースおよびセルを選択し、その上に設営しようとする。この場合のセル選択は、「任意のセル」選択状態１１７、または緊急接続状態１１４内でのコールに続く「任意を選ぶ」状態１１６を介して実行される。セル選択が無事終了すると、ＭＳは、設営状態１０９で選択されたセル上に設営する。この状態のＭＳの動作は、制限されたサービスによって課される制約を条件に、セルとインタフェースの再選択および要求時の専用モードサービスという点で、通常サービスに関して前述された動作にかなり類似している。同様に、制限サービスモードと関連する状態１１４、１１６、１１８および１１９は、それぞれ対応する通常サービス状態１１５、１０５、１１０および１１３に類似している。ＭＳがＰＬＭＮの選択で成功すると、それは適切な通常コール選択および設営状態に戻る。
【０１０９】
図９、１０は、図７、８に示されているＭＳ４０のアイドルモード動作中の、ＲＲＸプロセス（図５に図示され、それに関して説明されるようなＲＲＧプロセス８０およびＲＲＣプロセス８２）の動作を示すフローチャートである。適切な範囲まで、図９、１０の中のＲＲＸプロセスの状態は、図７の中のＭＳの対応する状態と同じ名前およびインジケータ番号によって識別される。図９、１０で適切な場合、状態遷移は、付録Ｃにリストされるようにそれと関連するサービスプリミティブでラベルが付けられる。
【０１１０】
ＲＲＸプロセスのそれぞれは、ＭＳ４０がオンにされるとき、あるいはアクティブなプロセスであるためのＲＲＸプロセスの選択に続いて、アイドル受動状態１２０で開始する。受動状態にある間、ＲＲＸプロセスは、ＲＲＣＯプロセスによりそうするように命令されるときに、その対応するエアインタフェース上でセルを定期的に監視する。ＲＲＣＯプロセスからのＲＲＸ＿ＡＣＴ＿ＲＥＱメッセージに応えて、ＲＲＸプロセスはアクティブになり、ＭＳは適切なセル選択状態１０６，１０７または１１７に入る。この時点から、ＲＲＸプロセスがアクティブである限り、その動作および状態遷移は、本質的に、図７に示されているＭＳアイドルモード動作および状態を再現する。しかしながら、他の受動エアインタフェースがアクティブなインタフェースになる必要があると判断されると、ＲＲＣＯプロセスは、ＲＲＸ＿ＧＯ＿ＩＤＬＥ＿ＰＡＳＳＩＶＥ＿ＲＥＱメッセージをＲＲＸに渡し、それはそれから、ＲＲＸが事前にいた状態に関係なく、アイドル受動状態１２０に戻る。
【０１１１】
図１１、１２は、図７、８に示されているＭＳ４０のアイドルモード動作中のＲＲＣＯプロセスの動作を示すフローチャートである。ここでも、適切な範囲まで、図１１、１２の中のＲＲＣＯの状態は、図７、８のＭＳの対応する状態と同じ名前およびインジケータ番号で識別される。図１１、１２で適切な場合は常に、状態遷移には、ＲＲ＿ＳＡＰプリミティブおよびＲＲＣＯ−ＲＲＸプリミティブの両方を含む、付録Ｃにリストされている、それに関連したサービスプリミティブでラベルが付けられている。
【０１１２】
前記に注記されたように、ＭＳがオンに切りかえられると、ＲＲＣＯは、ＲＲＸプロセスの両方が受動である状態１２２で開始する。ＲＲＣＯプロセスが上位プロトコルレイヤからＲＲ＿ＡＣＴ＿ＲＥＱプリミティブを受け取ると、それはインタフェース選択状態１０２に入る。いったんエアインタフェースが選択されると、アクティブＲＲＸプロセスは、ＲＲＣＯプロセスが（ＰＬＭＮが選択されたかどうか、あるいは代わりにＭＳが、前述されたように制限サービスモードで動作しているかどうかに応じて）適切な「１つの選択する」状態１２４または１２６で待機する間にセルを選択し続ける。１つのセルが選択されると、ＲＲＣＯプロセスは、ＭＳの設営された状態１０８または１０９に対応する、「１つの設営された」状態に入る。
【０１１３】
これらの設営された状態では、ＲＲＣＯは、後述される監視基準に基づき、受動ＲＲＸプロセスによって受動エアインタフェース監視を間欠的に呼出す。インタフェース再選択基準が満たされると、ＲＲＣＯプロセスは、インタフェース再選択状態１１２に移り、そこから選択する状態１２４または１２６に戻る。この時点で、受動ＲＲＸプロセスおよびアクティブＲＲＸプロセスが切り替わっているが、ＲＲＣＯの状態はそれにもかかわらず同じである。
【０１１４】
ＧＳＭ／ＣＤＭＡセル選択および設営（ＣＡＭＰＩＮＧ）のための手順
セル選択／再選択および設営プロセスに関連している、図７から図１２に示されている状態およびプロセスの若干数が、ここでさらに詳細に説明されるだろう。完全にＧＳＭ仕様に準拠している、あるいはＧＳＭ仕様から率直に引き出されることのできるＭＳ４０の動作の態様は省略されている。
【０１１５】
図１３および図１４は、ＣＤＭＡエアインタフェースが、本発明の好ましい実施形態に従って選択されたときのセル選択状態１０５、１０６、および１０７と関連する手順を概略で示すフローチャートである。手順は、通常、制限サービスモードでの対応する「任意のセル」の選択状態でも適用する。同様の手順は、ＧＳＭ標準に従ってＧＳＭ／ＴＤＭＡエアインタフェースでのセル選択のために従われるが、異なるパラメータおよび決定基準が含まれる。
【０１１６】
ＭＳ４０は、強力なパイロット信号を検出するため、および測定されたＲＦ電力の順序でパイロットのリストを構築するために、すべてのサポートされている周波数バンドの中のＣＤＭＡ周波数スペクトルを走査する。その周波数をＭＳが走査するセルのリストは、最後のサービングＰＬＭＮ（記憶済みのリストセル選択状態１０７）の中の近隣セル、最後の接続（セルを選ぶ選択状態１０５）の間に監視された近隣セル、あるいは動作のすべてのサポートされているバンド（通常のセル選択状態１０６）内でのすべてのサポートされているＣＤＭＡ周波数割当て（ＣＦＡ）を含むことができる。好ましくは、ＭＳは、ＭＳがＧＳＭ標準に従ってある特定のＬＡが禁止されている旨を知らされるたびに更新される「ローミング用禁止位置領域（ＬＡ）」のリストを維持する。ＭＳは、禁止ＬＡに属するセル内のサービスを受け取ることを試みない。
【０１１７】
それから、ＭＳは順番にリスト上のセルをサーチする。セルが以下に規定されている「適切なセル基準」を満たす場合、ＭＳはそのセル上で設営する。それ以外の場合、それはリスト上の次のセルを選択しようとする。
【０１１８】
ＭＳがリストの最後に達すると、あるいは「適切なセルなし基準」が記憶されたリストまたはセルを選ぶ選択で満たされると、それは通常のセル選択、つまり制限サービスモードでの場合「任意のセル」選択（状態１１７）を試みる。これがやはり無事終了しない場合、セル選択プロセスはインタフェース選択状態１０２に戻る。
【０１１９】
好ましくは、ＩＳ−９５標準に従って、ＣＤＭＡセルの適切なパイロットチャネルを見つけた後に、ＭＳは有効な同期チャネルメッセージをセルから受信しようとする。ＭＳはその長いコードとシステムタイミングを、受信した同期チャネルメッセージから引き出される、ＰＩＬＯＴ＿ＰＮ値、ＬＣ＿ＳＴＡＴＥ値およびＳＹＳ＿ＴＩＭＥ値を使用して、ＣＤＭＡセルの長いコードとシステムに同期させる。それから、それはセルのページングチャネル上のシステムオーバヘッドメッセージの完全なセットを読み込む。ＭＳが、メッセージの完全なセットを復号する前にページを受信すると、それは、好ましくは、応答が何らかの理由で禁止されているならば、ページを記憶し、メッセージのすべてが復号された後に応答する。
【０１２０】
随意に、ＭＳ４０は、一般的にはＧＳＭ標準により提供されるように、セル選択とともにバンド選択を実行する。前述されたように、記憶済みのリストセル選択内でサーチされる候補セルは、１つのバンドに属するか、あるいは複数の周波数バンドに属することがある。他方、通常のセル選択では、ＭＳは、バンド優先の所定の順序を使用して、そのそれぞれのＲＦ信号強度の順序で動作のすべてのサポートされているバンドですべてのチャネルをサーチする。ＣＤＭＡバンド選択のためには、ＭＳ４０は、好ましくは１つまたは複数の優先リストを参照する。
【０１２１】
・前回のアクティブバンドおよびＣＤＭＡ周波数割当て（ＭＳによってＳＩＭ４４上の拡張メモリ内で維持されるＣＦＡ）
・（ＭＳのＳＩＭ４４上の拡張メモリに記憶される）好ましいＣＤＭＡバンドおよびＣＦＡのリスト
・（ＭＳ内で事前に構成されている）サポートされているＣＤＭＡバンドのリスト
状態１０７（図７）に関連付けられている記憶されているリストセル選択では、ＭＳ４０が所定の近隣リスト、例えば、選択されたＰＬＭＮに関して、ＩＳ−９５標準に従って、ＣＤＭＡＢＡＮＤパラメータおよびＣＤＭＡＣＨパラメータによって定義される搬送波周波数のリストを参照する。好ましくは、近隣リストは、前回使用されたＰＬＭＮによってＭＳに提供され、前述されたように、拡張ＳＩＭ上のメモリ、あるいはＭＳの不揮発性メモリの中に記憶されていたものである。ＳＩＭ内に記憶される有効な位置領域識別子（ＬＡＩ）がある場合には、近隣リストはＬＡＩによって示されるＰＬＭＮに属していなければならない。リストの中のセルをサーチし、それらの上で設営しようとする過程で、ＭＳが選択されたＰＬＭＮの１つのセルのメッセージを復号することができるが、そのセル上で設営できない場合、そのセルの近隣は、好ましくはリストに追加される。
【０１２２】
「セルを選ぶ」選択状態１０５でセルを選択するとき、ＭＳは、好ましくは、ＭＳが専用モードで動作していた期間から前回のサービングセルで設営しようとする。前回のサービングセルが不適切であると知られている場合（つまり、それが後述される「適切なセル基準」を満たすことができない場合）には、ＭＳは取り囲むセルのどれかで設営しようとすることができる。取り囲むセルのリストを配列する目的で、ＭＳは好ましくは、専用モードで所定の期間、典型的には５秒にわたって測定値を平均化しつつ、セルのそれぞれのトラフィックチャネルの電力を測定する。選択されたセルのオーバーヘッドメッセージの完全なセットが、選択の直前に、例えば先行する３０秒以内にすでに復号されていた場合、図１４に示されている内容とは反対に、通常、ＭＳがそれらを再び復号することは必要ではない。さらにＭＳが中断されたセルを確立し直すことを要求されると、セル選択に要する時間は、好ましくは、セル選択方法で本質的ではない工程を省略することにより短縮される。
【０１２３】
新規インタフェースセル選択状態１１３では、セル選択は、好ましくは、通常、セルを選ぶ状態１０５に類似する方法で実行される。インタフェース再選択の前に受動エアインタフェースを監視する過程で、ＭＳが近隣セルの電力測定を行った場合に、類似性は可能にされる。これらの測定は、新規サービングセルが選択されるリストをアセンブルするために使用される。
【０１２４】
「任意のセル」選択状態１１７、「任意を選ぶ」状態１１６、および「新規インタフェース任意」選択状態１１９で実行される制限サービスでのセル選択は、制限サービス動作に必要とされるような変更とともに、平行した、それぞれの通常セル選択状態１０６、セルを選ぶ状態１０５、および新規インタフェース通常選択状態１１０に、大いに類似している。
【０１２５】
図１５は、本発明の好ましい実施形態に従って、ＭＳ４０によって従われるセル再選択手順を概略で示すフローチャートである。セルで設営されている間、ＭＳ４０は、定期的に、近隣セルの信号強度または品質を測定する。近隣セルは、好ましくは、サービングセルによりブロードキャストされる近隣チャネルのリストに従ってサーチされる。ＭＳは、利用可能な最良のパイロットを有するセルを獲得することを試みる。ＭＳは、それから、後述されるように、「セル再選択基準」に基づき、再選択が必要であるかどうかを判断する。
【０１２６】
基準が満たされると、ＭＳはセル再選択をトリガする。新規セルで設営する前に、ＭＳは、好ましくは、オーバーヘッドメッセージの完全セットを復号し、セルパラメータを評価する。新規セルが旧セルによりブロードキャストされた近隣リストパラメータメッセージ内にリストされている場合、ＭＳは、好ましくは、パイロットからパイロットへの遷移を行い、ＩＳ−９５仕様により規定されるように、同期チャネルの復号を省略することができる。それ以外の場合、新規セルの同期チャネルメッセージは、好ましくは最初に復号される。いったんそれが新規セルを獲得すると、ＭＳは、好ましくは、ＩＳ−９５仕様により規定されるように、それが新規ページングチャネルで少なくとも１つの有効メッセージを受け取るまで、非スロット化モードで動作する。それから、ＭＳは通常、新規セルで設営する。
【０１２７】
再選択開始後に、ＭＳが所定の期間、好ましくは約１０秒以内に、適切なセルを見つけることができない場合、それは通常セル選択状態１０６に戻る。
【０１２８】
前記説明が、通常、状態１１０に関連する通常セル再選択と、制限サービスモードの状態１１８に関連する「任意のセル」再選択の両方に適用し、適切な変更が再選択基準に加えられることが注記される。
【０１２９】
ＣＤＭＡエアインタフェースを介するセルの選択と再選択は、ＣＤＭＡパス損失基準（Ｃ１ｃ）と再選択基準（Ｃ２ｃ）を基本にするのが望ましい。パス損失基準を使用して、ＭＳが干渉されずにネットワークと通信できるかどうか、すなわちＭＳが問題となるセルにより良好なカバレッジの領域内に存在するかどうかを判定する。再選択基準を使用して、相対的品質レベルの候補セルを決定して、利用可能な最良のセルを見出す。これはＣ１ｃを使用し、さらにネットワークにより割当てられるセル優先順位を考慮する（ＣＥＬＬ＿ＲＥＳＥＬＥＣＴ＿ＯＦＦＳＥＴ）。
【０１３０】
Ｃ１ｃはＭＳ４０のアンテナコネクタにおける全受信パワースペクトル密度で与えられ、特定のセルのパイロットに関して測定される。
【０１３１】
Ｃ１ｃ＝−２０ｌｏｇ１０（Ｅｃ／Ｉ０）
ここでの望ましい条件は以下である。
【０１３２】
Ｃ１ｃ＞ＥＣ＿ＩＯ＿ＴＨＲＥＳＨ
用語のＥｃ、Ｉ０およびＥＣ＿ＩＯ＿ＴＨＲＥＳＨは、ＩＳ−９５標準からとられており、Ｅｃ／Ｉ０は受信された帯域幅内の、１つのＰＮチップ期間（Ｅｃ）にわたって累積されたパイロットエネルギーと、全パワースペクトル密度（Ｉ０）との比をｄＢで示したものである。
【０１３３】
さらに、選択されるセルに関して、パイロットパワーは以下の条件を満たすのが望ましい。
【０１３４】
Ｐｉｌｏｔ＿ｐｏｗｅｒ＞ＥＣ＿ＴＨＲＥＳＨ−１１５
ここで、Ｐｉｌｏｔ＿ｐｏｗｅｒ（単位はｄＢｍ／１．２３ＭＨｚ）は、次のように定義される。
【０１３５】
Ｐｉｌｏｔ＿ｐｏｗｅｒ＝−２０ｌｏｇ１０（Ｅｃ／Ｉ０）（ｄＢ）＋平均入力パワー（ｄＢｍ／１．２３ＭＨｚ）
好ましくは、ＥＣ＿ＩＯ＿ＴＨＲＥＳＨおよびＥＣ＿ＴＨＲＥＳＨの値は、ＣＤＭＡ拡張システムのパラメータメッセージの一部としてＭＳ４０にブロードキャストされる。
【０１３６】
ＣＤＭＡに関する再選択基準Ｃ２ｃは次のように定義される。
【０１３７】
Ｃ２ｃ＝Ｃ１ｃ−ＣＥＬＬ＿ＲＥＳＥＬＥＣＴ＿ＯＦＦＳＥＴ
ＣＥＬＬ＿ＲＥＳＥＬＥＣＴ＿ＯＦＦＳＥＴは、ＧＳＭで使用されたものと同様のセル再選択パラメータであり、ＧＳＭ標準０５．０８により提供されるのと同様に、セル内にブロードキャストされるのが望ましい。
【０１３８】
隣接セルが、所定の時間期間中（一般に５秒）に現在のサービングセルより高いＣ２ｃの値を持つときは、その隣接セルがサービングセルと同一位置領域内にある限り、セル再選択が呼出される。同一のエアインタフェースに属するが、異なる位置領域を持つ隣接セルに関しては、次の条件が望ましい。
【０１３９】
Ｃ２ｃ（新しいセル）＞Ｃ２ｃ（現在のセル）＋ＣＲＨ
ここで、ＣＲＨはセル再選択ヒステリシスファクタであり、ＭＳのかなりのバッテリパワーを消費する過大な位置領域変更回数を防止するために加えられるものである。この基準を使用するには、隣接セルが異なる位置領域に属することをＭＳが認識している必要がある。本発明の好ましい実施形態では、ＭＳが隣接セルの位置領域を認識できる２つの代替方法がある。
【０１４０】
・現在のサービングセルによりブロードキャストされた隣接リストが、位置領域情報を備えることができる。
【０１４１】
・後日セル再選択で参照するために、ＭＳが、過去にＭＳにサービングしたセルの位置領域をメモリ内に格納できる。
【０１４２】
同様に、最近のセル再選択があった場合は、追加の制約が再選択基準に置かれるのが望ましい。例えば、再選択が過去１５秒以内にあった場合は、新しいセルのＣ２ｃは、５秒間は現在のセルのＣ２ｃを最低限５ｄＢ越える必要があり、別の適切なセルが見つけられることができる場合、ＭＳは４秒以内に同一セルに戻ってはならない。いずれにしても、選択される隣接セルは、Ｃ１ｃとパイロットパワーに課されたパス損失要件を満足する必要がある。
【０１４３】
ＣＤＭＡインタフェースを介しての作動中、好ましくはＭＳ４０はＣＤＭＡに適切なセル基準を満たすセルだけを選択する。その基準は、一般に、ＧＳＭ標準により規定されている適切なセル基準に基づいている。次の条件のすべてを満たす場合、セルはＭＳが設営するのに適する。
【０１４４】
・セルがＣ１ｃパス損失基準に関し上に述べた要件を満たす。
【０１４５】
・ＭＳがセルのパイロットチャネル信号を所定の時間内、好ましくは約１５秒内に検出できる。
【０１４６】
・ＭＳがセルの同期チャネルの有効メッセージを所定の時間内、好ましくは約１秒内に受信する。
【０１４７】
・ＭＳがセルのオーバーヘッドメッセージの完全なセットを所定の時間内、好ましくは約４秒内に読み込みできる。
【０１４８】
・セルが選択されたＰＬＭＮに属する（または、制限サービスモードでは、セルが任意のＰＬＭＮに属するか、緊急コールをサポートする）。
【０１４９】
・セルが妨害されない（すなわち、ＭＳがセルにアクセスできる）。
【０１５０】
・セルが、前述の「禁止ＬＡ」リスト内に存在しない。
【０１５１】
・セルがＧＳＭ標準により定義されるように、割当てられた通常優先順位を有する、但し所定のチャネル数をすでにサーチ完了しているか、またすべての適正セルがネットワークによりブロードキャストされたＣＥＬＬ＿ＢＡＲ＿ＱＵＡＬＩＦＹで決定される低い優先順位を持つ場合は除く。低い優先順位のセルが許可される前に、ＣＦＡ当り５つのチャネルがサーチされることが好ましい。
【０１５２】
セル再選択は、サービングセル自体が前記基準を満たさない場合、またはサービングセルのページングチャネルが所定の時間中、通常数秒の間に消滅するか、またはサービングセルのアクセスチャネル上のサービスの試みが失敗に終る場合に呼出される。
【０１５３】
ＣＤＭＡエアインタフェースに関する「適切なセルなし」基準は、同様にＧＳＭで使用した基準に基づく。通常セル選択状態１０６と「任意セル」選択状態１１７では、所定数のＲＦチャネルのサーチを完了し、また適切なセル基準を満たすものが存在しないことを見出した後は、ＭＳは現在のエアインタフェースに属するセルをサーチしない。セルの予め決定したリストを使用する図７、８に示すその他のセル選択状態では、上述と同様に、ＭＳがこの状態に関連するセルのリストの最後に達するとき、それは適宜、状態１０６または１１７に入り、サーチを続行する。
【０１５４】
通常設営状態１０８の間は、ＭＳ４０は次の動作を実行するのが望ましい。
【０１５５】
１．ＭＳがサービングセルのページングチャネルを監視し、ページングチャネルが使用できなくなる場合は、ＭＳの上位ＭＭプロトコルレイヤを指示する。
【０１５６】
２．ＭＳがサービングセルのブロードキャストシステムのオーバーヘッドメッセージを復号し、関連するパラメータのブロードキャスト内の上位レイヤのすべての変更を指示する。
【０１５７】
３．  １つのセルに設営され、挿入された有効なＳＩＭ  ４４を有する間、ＧＳＭ標準０５．１２による要求に従って、ＭＳは、ＭＳにアドレス指定されるすべてのページングメッセージを聞き取る。
【０１５８】
４．前述の米国特許出願０９／３６５，９６３に記載されているように、ＧＳＭショートメッセージサービス（ＳＭＳＣＢ）の原則に従って、ＭＳはユーザが利用するセルブロードキャストメッセージを聞き取る。
【０１５９】
５．ＭＳ内のＲＲレイヤが、ＭＳの上位レイヤからのサービス要求を受取り、そのセルへのアクセスができない場合は上位レイヤに指示する。
【０１６０】
６．前述のように、ＭＳは定期的にセル再選択基準を評価し、必要ならセル再選択を開始する。
【０１６１】
７．さらに、前述の別の関連する基準のうちの１つが実現する場合、例えば現在のサービングセルが妨害されるか、またはダウンリンクシグナリングの失敗のある場合は、ＭＳはセル再選択を開始する。
【０１６２】
８．国内ローミングでは、ＧＳＭ標準に従って、ＭＳは定期的なホームＰＬＭＮ（ＨＰＬＭＮ）サーチをサポートする。
【０１６３】
９．上位レイヤから要求されると、ＭＳは利用可能なＰＬＭＮのリストを作成し、好ましくはＭＳによるページングチャネルの監視の中断を最小にする方法でそのリストを作成する。
【０１６４】
１０．以下に述べるように、ＭＳは二重インタフェース監視とエアインタフェース再選択をサポートするのが望ましい。適切なときに、受動インタフェース監視基準を基に、ＭＳは受動エアインタフェース上で信号強度測定を開始し（受動インタフェース監視）、インタフェース再選択を呼出すかどうかを決定する。
【０１６５】
１１．受動インタフェース監視が開始されると、ＭＳは適正なインタフェース再選択基準を定期的に評価し、適切なときは、インタフェース再選択を開始する。
【０１６６】
１２．好ましくは、エアインタフェースのうちの１つが、望ましいインタフェースとしてＭＳのメモリ内（拡張ＳＩＭまたは内蔵不揮発性メモリ内）で指定される。この場合、ＭＳが好ましくないインタフェースに属するセルに設営するときは、他のインタフェース再選択基準が満たされないときでさえ、それはインタフェースサーチタイマを起動して定期的なインタフェースサーチを実行する。
【０１６７】
「任意のセル」設営状態１０９では、前述のように、ＭＳは、必要に応じてそこから緊急呼出しできる任意のセルに設営する。この状態では、ＭＳは、ヒステリシスパラメータＣＲＨがゼロに設定されるのが望ましいことを除いて、通常設営状態１０８に関連するものと同様のセル再選択を実行する。ＭＳが有効ＳＩＭを有する場合（制限サービスモードであるにもかかわらず）、それはＧＳＭ標準０３．２２および０２．１１に一般に記載されている内容に従って、利用可能なおよび許容できるＰＬＭＮを間欠的にサーチする。
【０１６８】
エアインタフェース選択および再選択
図１６は、本発明の好ましい実施形態による、ＭＳが従うエアインタフェース選択手順の概略を示すフローチャートである。エアインタフェース選択は、新しいＰＬＭＮが選択される（ＭＭサブレイヤにより）か、または通常セル選択中に適正なセルがアクティブエアインタフェース上に見つからないときに、呼出される。
【０１６９】
ＭＳは最初に、アクティブインタフェースであるようにエアインタフェースの１つを選択し、そのインタフェースを介して伝送するセルを設営することを試みる。好ましくはＭＳは最新のアクティブインタフェース（既知の場合）を選択する。そうでない場合は、ＭＳは、ＳＩＭ上でプログラムされるユーザの希望インタフェースを選択するか、またはＭＳの不揮発性メモリ上でプログラムされるデフォルトの好ましいインタフェースを選択する。オプションとして、ＭＳが１つのエアインタフェースまたは別のエアインタフェースによるカバレッジに関する優先情報を持たない領域内に置かれている場合は、モード選択順序は、両方のインタフェースを介する最初のパワー測定が優先する。
【０１７０】
最初のエアインタフェースを介するセル上への設営が不成功の場合は、ＭＳは別のエアインタフェースに切換わり、設営に適するセルをシークする。選択および設営の成功は、上位（ＭＭ）プロトコルサブレイヤ５６に報告される。両方のインタフェースを介して設営すべきセルを見出せないことも、同様にＭＭサブレイヤに報告され、その後プロセス全体が再度試みられる。
【０１７１】
ＭＳ４０はエアインタフェースを選択してセルに設営することに成功した後に、以下に述べるようにインタフェース選択基準が満たされると、エアインタフェース再選択が呼出される。以下に述べるように、受動インタフェース監視基準を基に、ＭＳが最初に受動エアインタフェースを監視した後に、この基準は評価される。インタフェース再選択では、現在のアクティブインタフェースは、新しいインタフェースを起動する前に、無効にされる（および受動インタフェースになる）。
【０１７２】
受動インタフェース監視基準は、これにしたがってＭＳが受動インタフェース監視を開始するものであり、以下の条件のすべてを備えるのが望ましい。
【０１７３】
１．ネットワークは、受動エアインタフェース上の隣接セルが利用可能であることの指示をブロードキャストする。
【０１７４】
２．アクティブインタフェース上で受信される全てのセルは、所定の時間中、好ましくは約５秒間は予め定義したブロードキャストしきい値より低い信号レベルを持つ。
【０１７５】
３．所定の時間の間アクティブインタフェースを介して利用可能な隣接セルのリストに、所定の最小数、好ましくは２つのセルより少ないセルが存在する。
【０１７６】
代替方法では、ＧＳＭネットワーク標準に従って、ＨＰＬＭＮサーチが開始された場合、またはＭＳが好ましくないインタフェースのセルに設営されている間に、前述のインタフェースサーチタイマが時間切れになった場合は、ＭＳは受動インタフェース監視を開始する。
【０１７７】
受動インタフェース監視の起動に続き、インタフェース再選択基準が評価される。基準に適合していると、インタフェース再選択がその後に続く。そうでない場合は、受動インタフェース監視は中断し、所定のヒステリシス期間後再度開始される（上の監視基準には依然適合していると仮定）。
【０１７８】
図１７は、本発明の好ましい実施形態による、エアインタフェース再選択を行うかどうかを決定するのに使用するための組合せられた再選択基準の概略を示す図である。組合せられた再選択基準は以下のパラメーターを含むのが望ましい。
【０１７９】
・１つのエアインタフェースまたはその他の優先順位付けを可能にするインタフェース優先順位（ＩＰ）
・インタフェース間の頻繁な切換えを防止するための、インタフェース再選択ヒステリシス（ＩＲＨ）
・ボーダーセル状態を考慮し（図２）、またカバレッジの突然の終了が発生する前に、アクティブインタフェース切換えを行うことを試みるための、強力な隣接（ＳＮ）の評価。
【０１８０】
好ましくは、これらパラメータのいくつかは、ネットワークによりブロードキャストされる。このような拡張されたブロードキャスト情報が利用できないときは、ＭＳ４０の拡張ＳＩＭ  ４４からのデフォルト値が使用されるのが望ましい。そうでない場合は、ＭＳ４０のメモリに格納されたデフォルト値が適用される。
【０１８１】
好ましくは、インタフェース再選択は強力な隣接セルの受信されたＲＦパワーレベルのＭＳ４０による測定を基にする。「良好なインタフェース」は、最強のセル候補（通常サービングセル）が所定のしきい値より上で受信されるインタフェースである。「不良インタフェース」は、すべてのセルが前記しきい値より下で受信されるインタフェースであり、所定の数（好ましくは２）より少ない許容隣接セルが存在する。アクティブと受動インタフェースの各々は、「良好」または「不良」のどちらかの基準で分類され、再選択に関する判定は以下の表を基にするのが望ましい。
【表１】
2010136405.tif 000003
【０１８２】
代替方法としてまたは追加的に、インタフェース再選択に関する判定は、それらの相対的品質の尺度として、両方のインタフェースを介する最強のセルのパス損失値の比較を基にする。この場合、アクティブＣＤＭＡインタフェースからＧＳＭ／ＴＤＭＡへ変更する判定は、前述のＣ１ｃパス損失基準と同等のＧＳＭパス損失基準Ｃ１ｇを基にするのが望ましい。以下の条件では、再選択を行う。
【０１８３】
Ｃ１ｇ（新しいインタフェース）＋ＩＰｇ＞Ｃ１ｃ（現在のインタフェース）＋ＩＰｃ＋ＩＲＨｃ
一方、アクティブＧＳＭ／ＴＤＭＡインタフェースからＣＤＭＡへ変更する判定は、以下の条件で行う。
【０１８４】
Ｃ１ｃ（新しいインタフェース）＋ＩＰｃ＞Ｃ１ｇ（現在のインタフェース）＋ＩＰｇ＋ＩＲＨｇ
これらの不等式では、ＩＰｇとＩＰｃはＧＳＭ／ＴＤＭＡおよびＣＤＭＡのそれぞれに関するユーザ優先値であり、ＳＩＭ  ４４内に格納されるのが望ましい。ＩＲＨｇとＩＲＨｃは、前述と同様の、それぞれのインタフェースヒステリシスファクタである。Ｃ１ｇ（新しいインタフェース）は新しいエアインタフェースに関するＧＳＭパス損失基準であり、Ｃ１ｃ（現在のインタフェース）は現在のエアインタフェースに関するＣＤＭＡパス損失基準である。同様に、Ｃ１ｃ（新しいインタフェース）は新しいインタフェースに関するＣＤＭＡパス損失基準であり、Ｃ１ｇ（現在のインタフェース）は現在のインタフェースに関するＧＳＭパス損失基準である。ユーザ優先パラメータＩＰｃおよび／またはＩＰｇは、これがネットワークにより許可される（好ましくは、ブロードキャストパラメータＩＰ＿ＵＳＥで指示される）ときだけ考慮される。そうでない場合は、ネットワークによりブロードキャストされる優先順位パラメータが使用される。この方法は予め定義されたインタフェース優先順位（それはネットワークオペレータが利用可能なインタフェース間のＭＳの分布を調整するように変更することができる）に基づくインタフェース再選択をサポートする利点を有する。オプションとして、不等式に一定マッピングファクタを加えて、ＧＳＭ／ＴＤＭＡとＣＤＭＡのパス損失範囲の間の差を補正する。
【０１８５】
代替方法では、受動インタフェース監視を使用しないか、またより適正なインタフェースの存在に関して指示を与えない。この場合、インタフェース再選択は現在のアクティブのインタフェースのカバレッジが消滅するときだけ行われる。しかしこの方法の欠点は、ＭＳが最も利用可能なセルに設営することを保証しないことである。さらに、カバレッジの消失と同時に数秒間、ＭＳがページ不可能(non-pageable)になる。
【０１８６】
一般説明
これまで、特定のハイブリッドＧＳＭ／ＣＤＭＡシステムにより、好ましい実施形態を説明してきたが、本発明の原理を同様に適用して、他のハイブリッド通信システムにおいてセル選択および再選択を達成できることは明らかである。さらに、好ましい実施形態は、特定のＴＤＭＡベースおよびＣＤＭＡベースのエアインタフェースと通信標準を引用しているが、前述の方法と原理をデータ符号化と信号変調の他の方法と共に使用できることは、当業者には理解されるであろう。さらに、２つのタイプのエアインタフェース（ＣＤＭＡとＴＤＭＡ）を含むハイブリッドシステムによって本明細書で例示した本発明の原理は、３つまたはそれ以上の異なるエアインタフェースタイプを含むハイブリッドシステムに直接的に適用できる。本発明の範囲は、前述の完成システムと通信プロセスだけでなく、これらシステムとプロセスの各種の革新的エレメントおよびそれらの組合せと２次的組合せも包含する。
【０１８７】
したがって、上に述べた好ましい実施形態は例として引用したものであり、本発明は上に特に示しまた説明したものに限定されないことは、理解されるところである。本発明の範囲には、上に述べた各種特徴の組合せと２次的組合せ、および前述の説明を理解する当業者に予測でき、また従来技術で開示されていない、それらの変更と修正の両方を含むものである。
【０１８８】
付録Ａ
セルラー通信標準
下記の出版物は、一般に、システム２０、特に、ＭＳ４０が従う標準を定義するように、参照としてここに組み込まれている。下文にリストされている標準は、本特許出願において適切な箇所に引用されている。
【０１８９】
１．ＴＩＡ／ＥＩＡ−９５−Ｂ：Ｍｏｂｉｌｅ  Ｓｔａｔｉｏｎ−Ｂａｓｅ  Ｓｔａｔｉｏｎ  Ｃｏｍｐａｔｉｂｉｌｉｔｙ  Ｓｔａｎｄａｒｄ  ｆｏｒ  Ｄｕａｌ−Ｍｏｄｅ  
Ｓｐｒｅａｄ  Ｓｐｅｃｔｒｕｍ  Ｓｙｓｔｅｍｓ（デュアルモードスペクトラム拡散システムのための移動局−基地局互換標準）
２．ＴＩＡ／ＥＩＡ  ＩＳ  ９８−Ｂ，Ｍａｙ  １３，１９９８（１９９８年５月１３日）：デュアルモードスペクトラム拡散セルラー移動局のための推奨最小パーフォーマンス
３．ＥＴＳ  ３００  ５０４：Ｐｈａｓｅ  ２  Ｔｙｐｅｓ  ｏｆ  ｍｏｂｉｌｅ  ｓｔ
ａｔｉｏｎｓ（移動局の位相２タイプ）（ＧＳＭ  ０２．０６）
４．ＥＴＳ  ３００  ５０７：Ｐｈａｓｅ  ２  Ｓｅｒｖｉｃｅ  ａｃｃｅｓｓｉｂｉｌｉｔｙ（位相２サービスアクセス可能性）（ＧＳＭ  ０２．１１）
５．ＥＴＳ  ３００  ５０９：Ｐｈａｓｅ  ２  Ｆｕｎｃｔｉｏｎｓ  ｒｅｌａｔｅｄ  ｔｏ  Ｓｕｂｓｃｒｉｂｅｒ  Ｉｄｅｎｔｉｔｙ  Ｍｏｄｕｌｅ−Ｆｕｎｃｔｉｏｎａｌ  ｃｈａｒａｃｔｅｒｉｓｔｉｃｓ（加入者アイデンティティモジュール機能的特性に関する位相２機能）（ＧＳＭ  ０２．１７）
６．ＥＴＡ  ３００  ５３５：Ｐｈａｓｅ  ２  Ｆｕｎｃｔｉｏｎｓ  ｒｅｌａｔｅｄ  ｔｏ  Ｍｏｂｉｌｅ  Ｓｔａｔｉｏｎ  ｉｎ  ｉｄｌｅ  ｍｏｄｅ（アイドルモードにおける移動局に関する位相２機能）（ＧＳＭ  ０３．２２）
７．ＥＴＳ  ３００  ５５６：Ｐｈａｓｅ  ２  Ｍｏｂｉｌｅ  ｒａｄｉｏ  ｉｎｔｅｒｆａｃｅ  ｓｉｇｎａｌｉｎｇ  ｌａｙｅｒ  ３−Ｇｅｎｅｒａｌ  ａｓｐｅｃｔｓ（位相２移動無線周波数信号レイヤ３−一般態様）（ＧＳＭ  ０４．０７）
８．ＥＴＳ  ３００  ５５７：Ｐｈａｓｅ  ２  Ｍｏｂｉｌｅ  ｒａｄｉｏ  ｉｎｔｅｒｆａｃｅ  ｌａｙｅｒ  ３  ｓｐｅｃｉｆｉｃａｔｉｏｎ（位相２移動無線インタフェースレイヤ３仕様）（ＧＳＭ  ０４．０８）
９．ＥＴＳ  ３００  ５７４：Ｐｈａｓｅ  ２  Ｍｕｌｔｉｐｌｅｘｉｎｇ  ａｎｄ  ｍｕｌｔｉｐｌｅ  ａｃｃｅｓｓ  ｏｎ  ｔｈｅ  ｒａｄｉｏ  ｐａｔｈ（無線パスにおける位相２マルチプレクシングおよびマルチプルアクセス）（ＧＳＭ  ０５．０２）
１０．ＥＴＳ  ３００  ５７７：Ｐｈａｓｅ  ２  Ｒａｄｉｏ  ｔｒａｎｓｍｉｓｓｉｏｎ  ａｎｄ  ｒｅｃｅｐｔｉｏｎ（位相２無線通信および受信）（ＧＳＭ  ０５．０５）
１１．ＥＴＳ  ３００  ５７８：Ｐｈａｓｅ  ２  Ｒａｄｉｏ  ｓｙｓｔｅｍ  ｌｉｎｋ  ｃｏｎｔｒｏｌ（位相２無線システムリンクコントロール）（ＧＳＭ  ０５．０８）
１２．ＥＴＳ  ３００  ６０８：Ｐｈａｓｅ  ２  Ｓｐｅｃｉｆｉｃａｔｉｏｎ  ｏｆ  ＳＩＭ−ＭＥ  ｉｎｔｅｒｆａｃｅ（ＳＩＭ−ＭＥインタフェースの位相２仕様）（ＧＳＭ  １１．１１）
付録Ｂ
用語および略語の定義
この付録は、本特許出願および特許請求の範囲の文脈に使用される特定のテクニカル用語および略語をリストし、そして定義している。用語および略語は、開示の部分で説明されており、あるいはそうでない場合、当業者にはよく知られているので、それらは、読む人のため便宜上繰り返されている。
【０１９０】
用語ＰＬＭＮ（ｐｕｂｌｉｃ  ｌａｎｄ  ｍｏｂｉｌｅ  ｎｅｔｗｏｒｋ（公衆陸上移動ネットワーク））は、セルラーネットワークのことである。ＧＳＭセルラーシステムにおいて周知のように、ホームＰＬＭＮ（ＨＰＬＭＮ）と訪問された(visited)ＰＬＭＮ（ＶＰＬＭＮ）とは区別されている。
【０１９１】
サービングセルは、移動局（ＭＳ）が、設営するために選択するセルである。隣のセルは、サービングセルの付近に位置され、そしてＰＬＭＮによって隣り合うものであると宣言されるセルである。
【０１９２】
セルを「設営する」ということは、移動局受信機をセルのブロードキャストチャネルに同調して、移動局メモリ中の特定のセルパラメータを維持し、そしてセルのページングチャネルを監視することである。
【０１９３】
「エアインタフェース」とは、セルラー通信を確立するのに使用されるインタフェースとプロトコルとのセットのことである。ＧＳＭ（あるいはＴＤＭＡ）エアインタフェースとＣＤＭＡエアインタフェースとは区別されている。
【０１９４】
用語「ＧＳＭ／ＣＤＭＡ  Ｓｙｓｔｅｍ（ＧＳＭ／ＣＤＭＡシステム）」とは、デュアルエアインタフェース作動をサポートするセルラーシステムのことである。
【０１９５】
用語Ｍｏｄｅ（モード）は、下記の文脈において使用されている：
・Ｉｄｌｅ  Ｍｏｄｅ（アイドルモード）−ネットワーク無線リソースが明示的にアロケートされず、そして移動局が、最も適切なセルを選択して、設営し、かつ共通のブロードキャストチャネルを受けるように試みる作動のモード。
【０１９６】
・Ｄｅｄｉｃａｔｅｄ  Ｍｏｄｅ（専用モード）−移動局がサービス接続を確立するために、ネットワークに接続されるか、あるいはネットワークにアクセスするかの作動のモード。この専用モードにおいて、移動局は、ネットワークによって特に割当てられるチャネルに送信して、受信する。
【０１９７】
略語
Ｂａ  ｌｉｓｔ      セルのＢＣＣＨ割当てリスト
ＢＣＣＨ            Ｂｒｏａｄｃａｓｔ  Ｃｏｍｍｏｎ  Ｃｏｎｔｒｏｌ  Ｃｈａｎｎｅｌ（ブロードキャスト共通コントロールチャネル）
Ｂｉｔｓ／ｓ  ビット／秒
ＢＳ          Ｂａｓｅ  Ｓｔａｔｉｏｎ（基地局）
ＢＳＣ        Ｂａｓｅ  Ｓｔａｔｉｏｎ  Ｃｏｎｔｒｏｌｌｅｒ
（基地局コントローラ）
ＢＳＳ        Ｂａｓｅ  Ｓｔａｔｉｏｎ  Ｓｕｂｓｙｓｔｅｍ
（基地局サブシステム）
ＢＴＳ        Ｂａｓｅ  Ｔｒａｎｓｃｅｉｖｅｒ  Ｓｔａｔｉｏｎ
（基地トランシーバ局）
ＣＢ          Ｃｅｌｌ  Ｂｒｏａｄｃａｓｔ（セルブロードキャスト）
ＣＢＣ        Ｃｅｌｌ  Ｂｒｏａｄｃａｓｔ  Ｃｅｎｔｅｒ
（セルブロードキャストセンター）
ＣＢＣＨ      Ｃｅｌｌ  Ｂｒｏａｄｃａｓｔ  Ｃｈａｎｎｅｌ
（セルブロードキャストチャネル）
ＣＢＥ        Ｃｅｌｌ  Ｂｒｏａｄｃａｓｔ  Ｅｎｔｉｔｙ
（セルブロードキャストエンティティ）
ＣＣ          Ｃａｌｌ  Ｃｏｎｔｒｏｌ（コールコントロール）
ＣＦＡ        ＣＤＭＡ  Ｆｒｅｑｕｅｎｃｙ  Ａｓｓｉｇｎｍｅｎｔ
（ＣＤＭＡ周波数割当）
ＣＧＩ        Ｃｅｌｌ  Ｇｌｏｂａｌ  Ｉｄｅｎｔｉｔｙ
（セル大域アイデンティティ）
ＣＭ          Ｃａｌｌ  Ｍａｎａｇｅｍｅｎｔ（コール管理）
ＣＲＨ        Ｃｅｌｌ  Ｒｅｓｅｌｅｃｔｉｏｎ  Ｈｙｓｔｅｒｅｓｉｓ
（セル再選択ヒステリシス）
ｄＢ          Ｄｅｃｉｂｅｌ（デシベル）
ｄＢｍ        ｄＢ  ｍｉｌｉｗａｔｔ（ｄＢミリワット）
ＤＲＸ        Ｄｉｓｃｏｎｔｉｎｕｏｕｓ  ｒｅｃｅｉｖｅ  ｍｏｄｅ
（不連続受信モード）
ＣＰＲＳ      Ｇｌｏｂａｌ  Ｐａｃｋｅｔ  Ｒａｄｉｏ  Ｓｅｒｖｉｃｅ
（大域パケット無線サービス）
ＧＳＭ        Ｇｌｏｂａｌ  Ｓｙｓｔｅｍ  ｆｏｒ  Ｍｏｂｉｌｅ  Ｃｏｍｍｕｎｉｃ
ａｔｉｏｎｓ（移動通信のための大域システム）
ＨＬＲ        Ｈｏｍｅ  Ｌｏｃａｔｉｏｎ  Ｒｅｇｉｓｔｅｒ
（ホーム位置レジスタ）
ＨＰＬＭＮ    Ｈｏｍｅ  ＰＬＭＮ（ホームＰＬＭＮ）
ＩＭＳＩ      Ｉｎｔｅｒｎａｔｉｏｎａｌ  Ｍｏｂｉｌｅ  ｓｕｂｓｃｒｉｂｅｒ  Ｉ
ｄｅｎｔｉｔｙ（国際移動加入者アイデンティティ）
ＩＳ          Ｉｎｔｅｒｉｍ  Ｓｔａｎｄａｒｄ（中間標準）
Ｌ１          Ｌａｙｅｒ  １（レイヤ１）
Ｌ２          Ｌａｙｅｒ  ２（レイヤ２）
Ｌ３          Ｌａｙｅｒ  ３（レイヤ３）
ＬＡ          Ｌｏｃａｔｉｏｎ  Ａｒｅａ（位置領域）
ＬＵ          Ｌｏｃａｔｉｏｎ  Ｕｐｄａｔｅ（位置更新）
ＭＣＣ        Ｍｏｂｉｌｅ  Ｃｏｕｎｔｒｙ  Ｃｏｄｅ（移動国コード）
ＭＥ          Ｍｏｂｉｌｅ  Ｅｑｕｉｐｍｅｎｔ（移動装置）
ＭＮＣ        Ｍｏｂｉｌｅ  Ｎｅｔｗｏｒｋ  Ｃｏｄｅ
（移動ネットワークコード）
ＭＭ          Ｍｏｂｉｌｉｔｙ  Ｍａｎａｇｅｍｅｎｔ（移動管理）
ＭＳ          Ｍｏｂｉｌｅ  Ｓｔａｔｉｏｎ（移動局）
ＭＳＣ        Ｍｏｂｉｌｅ  Ｓｗｉｃｈ  Ｃｅｎｔｅｒ
（移動スイッチセンタ）
ＮＶ＿ＭＥＭ  Ｎｏｎ  Ｖｏｌａｔｉｌｅ  Ｍｅｍｏｒｙ（不揮発性メモリ）
ＰＡＭ        Ｐａｇｉｎｇ  Ａｃｃｅｓｓ  Ｍａｎａｇｅｒ
（ページングアクセスマネージャ）
ＰＬＭＮ      Ｐｕｂｌｉｃ  Ｌａｎｄ  Ｍｏｂｉｌｅ  Ｎｅｔｗｏｒｋ
（公衆陸上移動ネットワーク）
ＲＩＬ        Ｒａｄｉｏ  Ｉｎｔｅｒｆａｃｅ  Ｌａｙｅｒ
（無線インタフェースレイヤ）
ＲＰＬＭＮ    Ｒｅｇｉｓｔｅｒｅｄ  ＰＬＭＮ（登録済のＰＬＭＮ）
ＲＲ          Ｒａｄｉｏ  Ｒｅｓｏｕｒｃｅ  Ｍａｎａｇｅｍｅｎｔ
（無線リソース管理）
ＳＡＣＣＨ    Ｓｌｏｗ  Ａｓｓｏｃｉａｔｅｄ  Ｃｏｎｔｒｏｌ  Ｃｈａｎｎｅｌ（遅
い関連コントロールチャネル）
ＳＡＰ        Ｓｅｒｖｉｃｅ  Ａｃｃｅｓｓ  Ｐｏｉｎｔ
（サービスアクセスポイント）
ＳＤＣＣＨ    Ｓｔａｎｄ−ａｌｏｎｅ  Ｄｅｄｉｃａｔｅｄ  Ｃｏｎｔｏｒｏｌ  Ｃｈａｎｎｅｌ（スタンドアローン専用コントロールチャネル）
ＳＭＳ        Ｓｈｏｒｔ  Ｍｅｓｓａｇｅ  Ｓｅｒｖｉｃｅ
（ショートメッセージサービス）
ＳＭＳＣＢ    Ｓｈｏｒｔ  Ｍｅｓｓａｇｅ  Ｓｅｒｖｉｃｅ  Ｃｅｌｌ  Ｂｒｏａｄｃａｓｔ（ショートメッセージサービスセルブロードキャスト）
ＶＬＲ        Ｖｉｓｉｔｏｒｓ  Ｌｏｃａｔｉｏｎ  Ｒｅｇｉｓｔｅｒ
（ビジター位置レジスタ）
ＶＰＬＭＮ    Ｖｉｓｉｔｅｄ  ＰＬＭＮ（訪問されたＰＬＭＮ）
付録Ｃ
ＲＲ  ＳＵＢＬＡＹＥＲ  ＩＮＴＥＲＦＡＣＥＳ，ＰＲＭＩＴＩＶＥＳ  ＡＮＤ  ＳＴＡＴＥ  ＶＡＲＩＡＢＬＥＳ（ＲＲ  サブレイヤインタフェース、プリミティブおよび状態変数）
この付録は、本発明の好ましい実施形態により、図３乃至図５に示されるように、信号レイヤ３のＧＳＭ／ＣＤＭＡ  ＲＲサブレイヤ５５の態様を記述している。その記述は、ＭＳ  ４０のアイドルモードと関連するサービスだけをカバーし、本特許出願の範囲を越える専用モードにだけに関連するプリミティブをカバーしない。
【０１９８】
Ｃ１  ＴＨＥ  ＭＭ−ＲＲ  ＳＥＲＶＩＣＥ  ＩＮＴＥＲＦＡＣＥ（ＭＭ−ＲＲサービスインタフェース）
ＲＲ  Ｃｏｍｂｉｎｅｒ  ｐｒｏｃｅｓｓ（ＲＲ結合器プロセス）（ＰＲＣＯ８４）は、レイヤ３のＲＲ加入者とＭＭ加入者との間の標準インタフェース（ＲＲ−ＳＡＰ  ９０）を実現する。インタフェースは、実質的に修正なく、ＧＳＭ  ０４．０７に従う。
【０１９９】
Ｃ２  ＴＨＥ  ＲＲＣＯ−ＲＲＸ  ＳＥＲＶＩＣＥ  ＩＮＴＥＲＦＡＣＥ（ＲＲＣＯ−ＲＲＸサービスインタフェース）
この項に定義されているプリミティブは、ＧＳＭ  ０４．０７のスーパーセットである。この定義は、上文に記述されるＭＭ−ＲＲプリミティブを再使用して、そしてＲＲＣＯプロセスとＲＲＸプロセスとの間の内部通信をサポートするために、新しいプリミティブ
を追加している（ＲＲＸは、ＲＲＧ  ８０とＲＲＣ  ８２とのための集合的用語としてここに使用されている）。この付録において冗長を回避するために、同一のサービスプリミティブおよびパラメータの詳細のためのＧＳＭ標準におけるＲＲ−ＭＭ  Ｓｅｒｖｉｃｅ  Ｉｎｔｅｒｆａｃｅ（ＲＲ−ＭＭサービスインタフェース）の定義を参照してください。
【表２】
2010136405.tif 000004
【０２００】
ＲＲＸ＿ＧＯ＿ＩＤＬＥ＿ＰＡＳＳＩＶＥ＿ＲＥＱ
アクティブ状態から受動状態に変更するためのＲＲＣＯからＲＲＸへの要求
ＲＲＸ＿ＩＤＬＥ＿ＰＡＳＳＩＶＥ＿ＣＮＦ
ＲＲＸから、より低いレイヤの非活動化のＲＲＣＯへの確認。このプリミティブを送ることによって、ＲＲＸは、ＲＲＸ＿ＳＡＭＰＬＥ＿ＲＥＱを受ける準備ができていることを確認する。
【０２０１】
ＲＲＸ＿ＳＬＥＥＰ＿ＩＮＤ
不連続受信作動におけるページンググループのためにスリープ期間（あるいはＣＤＭＡのためのスロット化モード）に入った時のアクティブＲＲＸからＲＲＣＯへの指示。
【０２０２】
ＲＲＸ＿ＥＸＴ＿ＮＢＣ＿ＩＮＦＯ＿ＩＮＤ
このプリミティブは、他のエアインタフェースの隣のセルについてのブロードキャスト情報をＲＲＣＯに供給するために、ＲＲＸによって使用される。
【０２０３】
ＲＲＸ＿ＳＡＭＰＬＥ＿ＲＥＱ
予め定義された時間枠内で基本的セル測定作動を実行するためのＲＲＣＯからＲＲＸへの要求。
【０２０４】
ＲＲＸ＿ＳＡＭＰＬＥ＿ＩＮＤ
受動状態において、このプリミティブは、ＲＲＸ＿ＳＡＭＰＬＥ＿ＲＥＱに応答するのに使用される。ＭＳが、アイドルモードでセル上に設営するとき、それは、サービングセルと最も強い隣のセルとのために再選択パラメータの非請求期間的レポートを供給するのに使用される。
【表３】
2010136405.tif 000005
【０２０５】
付録Ａは参考のため本書に取り入れた、本発明に関連のある公表された標準の掲出を含むもの；
付録Ｂは読者の便宜のために設けた、本特許出願に用いた用語及び略語の説明的要約を含むもの；
付録Ｃは本発明の好ましい実施形態に従って移動局によって実行された無線リソース（ＲＲ）管理プロトコルと関連したインタフェース、プリミティブ、及び状態変数の説明を含むもの、である。
【符号の説明】
【０２０６】
２０…通信システム、３２…基地局サブシステム、４０…移動局、４２…移動装置、４
６…端末装置。
【図１】
2010136405.tif 000006
【図２】
2010136405.tif 000007
【図３】
2010136405.tif 000008
【図４】
2010136405.tif 000009
【図５】
2010136405.tif 000010
【図６】
2010136405.tif 000011
【図７】
2010136405.tif 000012
【図８】
2010136405.tif 000013
【図９】
2010136405.tif 000014
【図１０】
2010136405.tif 000015
【図１１】
2010136405.tif 000016
【図１２】
2010136405.tif 000017
【図１３】
2010136405.tif 000018
【図１４】
2010136405.tif 000019
【図１５】
2010136405.tif 000020
【図１６】
2010136405.tif 000021
【図１７】
2010136405.tif 000022
【手続補正書】
【提出日】平成22年2月3日(2010.2.3)
【手続補正１】
【補正対象書類名】特許請求の範囲
【補正対象項目名】全文
【補正方法】変更
【補正の内容】
【特許請求の範囲】
【請求項１】
第１のエアインタフェースを介して作動する第１のタイプの複数の基地局および第２のエアインタフェースを介して作動する複数の第２のタイプの基地局を含む移動無線通信システムにおいて、該第２のタイプである第２の基地局と、該第１のタイプである第１の基地局に関連したセルに設営された移動局によって再選択するための方法、該方法は下記を備える：
前記第２の基地局から前記第２のエアインタフェースを介して信号を受信し、
前記信号の特性を評価し、
前記特性に応じて、前記第１の基地局の代わりに前記第２の基地局を選択し、
前記第２の基地局に関連したセルに設営する。
【外国語明細書】
2010136405000001.pdf